(57)【要約】【課題】  映像表示装置および映像表示方法、電源供給装置および電源供給方法、コンテンツ輝度調整方法を提供する。【解決手段】  本発明の実施形態に係る映像表示装置は、映像に対する複数のカラー画素値が入力されると、入力されたカラー画素値を変換する画素値変換部と、複数のカラー発光素子を含み、前記変換されたカラー画素値に応じて前記複数のカラー発光素子を駆動させる表示パネルと、前記カラー発光素子の駆動時間をカラー別に異なるように制御するための制御信号を前記表示パネルに提供する発光制御部と、前記変換されたカラー画素値に基づいて前記制御信号のデューティ比をカラー別に異なるように調整するように前記発光制御部を制御するコントローラとを含む。【選択図】  図１０
2013140361.tif 000002
【特許請求の範囲】
【請求項１】
映像に対する複数のカラー画素値が入力されると、入力されたカラー画素値を変換する画素値変換部と、
複数のカラー発光素子を含み、前記変換されたカラー画素値に応じて前記複数のカラー発光素子を駆動させる表示パネルと、
前記カラー発光素子の駆動時間をカラー別に異なるように制御するための制御信号を前記表示パネルに提供する発光制御部と、
前記変換されたカラー画素値に基づいて前記制御信号のデューティ比をカラー別に異なるように調整するように前記発光制御部を制御するコントローラと
を含むことを特徴とする映像表示装置。
【請求項２】
前記複数のカラー発光素子は、赤（Ｒ）、緑（Ｇ）および青（Ｂ）の発光素子を含み、
前記複数のカラー画素値はＲ、Ｇ、Ｂの画素値を含むことを特徴とする請求項１に記載の映像表示装置。
【請求項３】
前記画素値変換部は、前記入力されたカラー画素値にマッチする前記変換されたカラー画素値を、ルックアップテーブル（ＬＵＴ）形態で保存することを特徴とする請求項１に記載の映像表示装置。
【請求項４】
前記コントローラは、前記入力されたカラー画素値と前記変換されたカラー画素値との差を計算する変換値計算部とを含むことを特徴とする請求項１に記載の映像表示装置。
【請求項５】
前記発光制御部は、前記カラー発光素子のうち、駆動電圧が大きい発光素子の順にターンオン時間を長くするように、前記制御信号のデューティ比を調整することを特徴とする請求項１に記載の映像表示装置。
【請求項６】
前記発光制御部は、前記カラー発光素子がＲ、Ｇ、Ｂのカラー発光素子である場合、前記ターンオン時間が、
【数４】
2013140361.tif 000006
（ここで、ｉｘ＿ｏｒｇは入力された画素値に該当する電流値、Ｄｘ＿ｏｒｇは入力された画素値に該当するターンオン時間、ｉｘ＿ｃａｌｃはコントローラで計算した電流値、Ｄｘ＿ｃａｌｃはコントローラで計算したターンオン時間であり、ｘ＝ｒ、ｇ、ｂを示す）の数式を満たすように前記制御信号を生成することを特徴とする請求項５に記載の映像表示装置。
【請求項７】
前記カラー発光素子は、同一の電源電圧（ＶＤＤ）によって駆動することを特徴とする請求項１に記載の映像表示装置。
【請求項８】
前記表示パネルは、
電源電圧（ＶＤＤ）を受けて前記変換されたカラー画素値に応じて電流を発生させる第１スイッチング素子と、
前記デューティ比が調整された前記制御信号の制御に従って前記電流の量を調節し、前記カラー発光素子に提供する第２スイッチング素子と
を更に含むことを特徴とする請求項１に記載の映像表示装置。
【請求項９】
前記変換されたカラー画素値の変換度合いは、電源電圧（ＶＤＤ）と前記カラー発光素子の間に接続されるスイッチング素子の電圧をダウンさせて設定した度合いに応じて決定されることを特徴とする請求項１に記載の映像表示装置。
【請求項１０】
映像に対する複数のカラー画素値が入力されると、入力されたカラー画素値を変換して出力するステップと、
複数のカラー発光素子を含む表示パネルが、前記変換されたカラー画素値に応じて前記複数のカラー発光素子を駆動させるステップと、
発光制御部が前記カラー発光素子の駆動時間を異なるように制御するための制御信号を前記表示パネルに提供するステップと、
前記変換されたカラー画素値に基づいて前記制御信号のデューティ比をカラー別に異なるように調整するように前記発光制御部を制御するステップと
を含むことを特徴とする映像表示方法。
【請求項１１】
前記入力されたカラー画素値を変換して出力するステップは、前記入力されたカラー画素値にマッチしてルックアップテーブルの形態で保存された前記変換されたカラー画素値を出力することを特徴とする請求項１０に記載の映像表示方法。
【請求項１２】
前記入力されたカラー画素値を変換して出力するステップは、前記入力されたカラー画素値と前記変換されたカラー画素値との差を計算するステップを含み、
計算した結果に基づいて、前記発光制御部は、前記駆動時間をカラー別に異なるように制御するための制御信号を生成することを特徴とする請求項１０に記載の映像表示方法。
【請求項１３】
前記発光制御部を制御するステップは、前記カラー発光素子のうち、駆動電圧が大きい発光素子の順にターンオン時間を長くするように、前記デューティ比を調整することを特徴とする請求項１０に記載の映像表示方法。
【請求項１４】
前記発光制御部は、前記カラー発光素子がＲ、Ｇ、Ｂのカラー発光素子である場合、前記ターンオン時間が、
【数５】
2013140361.tif 000007
（ここで、ｉｘ＿ｏｒｇは入力された画素値に該当する電流値、Ｄｘ＿ｏｒｇは入力された画素値に該当するターンオン時間、ｉｘ＿ｃａｌｃはコントローラで計算した電流値、Ｄｘ＿ｃａｌｃはコントローラで計算したターンオン時間であり、ｘ＝ｒ、ｇ、ｂを示す）の数式を満たすように前記制御信号を生成することを特徴とする請求項１１に記載の映像表示方法。
【請求項１５】
前記カラー発光素子は、同一の電源電圧（ＶＤＤ）によって駆動することを特徴とする請求項１０に記載の映像表示方法。
【発明の詳細な説明】
【技術分野】
【０００１】
本発明は、映像表示装置および映像表示方法、電源供給装置および電源供給方法、コンテンツ輝度調整方法に関し、より詳細には、例えば、ＯＬＥＤパネルに提供される映像信号に基づいて、ＯＬＥＤパネルに供給される駆動電源に対して、フィードフォワード制御を行い、同一の電源電圧（ＶＤＤ）を使って、赤（Ｒｅｄ）、緑（Ｇｒｅｅｎ）および青（Ｂｌｕｅ）の発光素子の駆動時に電圧偏差による発熱を低減し、映像フレームデータのＲ、Ｇ、Ｂ値を各々確認して、最大の電流値を算出し、ＤＣ電圧を最大の電流値に対応する電圧レベルを有するＤＣ電圧に変換するとともに、各画素に含まれたＯＬＥＤのカラーまたは複数の画素組によって異なる大きさの電源を供給し、複数のコンテンツを一つの画面を通じて提供することができる映像表示装置および映像表示方法、電源供給装置および電源供給方法、コンテンツ輝度調整方法に関する。
【背景技術】
【０００２】
映像表示装置は、外部から受信されたデジタルまたはアナログ映像信号または内部の保存装置に多様なフォーマットの圧縮ファイルで保存された多様な映像信号等が処理されて表示されるようにする装置である。
【０００３】
最近では、有機電界発光表示装置に対する開発が盛んに進められている。有機電界発光表示装置は、平板表示装置の一種として、有機電界発光ダイオードを用いる。ここで、有機電界発光ダイオードは、蛍光性有機化合物に電流が流れると、光を発する電界発光現象を用いて自ら発光する「自発光型有機物質」のことをいう。有機電界発光表示装置は、低い電圧で駆動が可能であり、薄型で作ることができ、広い視野角と早い応答速度があり、通常のＬＣＤと違って、真横から観ても画質が変わらずに画面に残像が残らない。なお、小型画面では、ＬＣＤ以上の画質と単純な製造工程により、有利な価格競争力をもつようになる。
【０００４】
このような有機電界発光表示装置は、別途の図に示してはいないが、通常、電源供給端から提供される単一電源電圧（ＶＤＤ）と電源接地端の接地電圧（ＶＳＳ）との間にＲ、Ｇ、ＢのＯＬＥＤを配置し、各々のＯＬＥＤと電源電圧の間に電界効果トランジスタ（ＦＥＴ）のようなスイッチング素子を接続する構造を使用している。
【０００５】
このとき、Ｒ、Ｇ、ＢのＯＬＥＤは、各色別にＯＬＥＤの駆動電圧が各々異なるため、色別の各ＯＬＥＤに接続されるスイッチング素子には異なる両端電圧がかかるようになる。例えば、単一電源電圧が６Ｖであり、ＲのＯＬＥＤおよびＧのＯＬＥＤが各々３Ｖおよび４Ｖ駆動であると、ＲのＯＬＥＤに接続されたスイッチング素子は電源電圧６Ｖから３Ｖを引いた残りの電圧が両端にかかり、ＧのＯＬＥＤに接続されたスイッチング素子は電源電圧から４Ｖの電圧を引いた残りの電圧が両端にかかるようになる。
【０００６】
ところが、このような従来の有機電界発光表示装置において、映像の輝度は駆動電圧の大きさに応じて異なってよい。それにより、パルス形態の大電流ＯＬＥＤ負荷特性により、遷移区間でＯＬＥＤに供給される駆動電圧は大きい電圧降下が生じるようになり、このような大きい電圧降下時に映像の輝度は歪曲するおそれがあるという問題があった。
【０００７】
なお、従来は、スイッチング素子にかかる電圧、それはヘッドルーム（Ｈｅａｄｒｏｏｍ）電圧と呼ばれることもあるが、このようなヘッドルーム電圧の偏差により、発熱が生じて、全システムの効率が低下するという問題が生じている。
【０００８】
例えば、従来は、有機電界発光表示装置の複数の画素に供給される第１電源（ＥＬＶＤＤ）に１２Ｖの固定ＥＬＶＤＤ電圧を供給していた。ただ、Ｒ、Ｇ、Ｂ値が低階調（即ち、ＯＬＥＤに印加する電流が低電流である場合）である状況で固定された１２Ｖ電源が供給されると、スイッチング素子にかかるヘッドルーム電圧がＲ、Ｇ、Ｂの階調レベルを反映することができないため、スイッチング素子で発熱により消耗される電力が多いという問題があった。
【０００９】
更に、従来の有機電界発光表示装置は、複数の画素に供給される第１電源（ＥＬＶＤＤ）を供給するために、３段電力変換構造を有する。即ち、電圧供給部は直列で接続されたＰＦＣ（Ｐｏｗｅｒ  Ｆａｃｔｏｒ  Ｃｏｒｒｅｃｔｉｏｎ）、２４Ｖ  ＤＣ／ＤＣコンバータおよび１２Ｖ  ＤＣ／ＤＣコンバータで構成された３段電力変換構造を有する。それにより、有機電界発光表示装置のパネル部に１２Ｖの第１電源（ＥＬＶＤＤ）を供給するように構成されている。
【００１０】
しかし、この場合、ＰＦＣで９５％程度の電力効率、２４Ｖ  ＤＣ／ＤＣコンバータで９２％程度の電力効率、１２Ｖ  ＤＣ／ＤＣコンバータで９４％程度の電力効率、パネル部で８０％程度の電力効率を有するため、全体として６５．７％程度の電力効率をもつ。即ち、従来の３段電力変換構造は全体的に大きな電力損失の問題がある。なお、従来では、３段電力変換構造であるため、回路の小型化に限界があった。
【００１１】
一方、映像表示装置は、ユーザの欲求を満たすために、多様なコンテンツを提供しているが、最近では、複数のコンテンツを同時に提供して複数のユーザが異なるコンテンツを視聴することができる映像表示装置への開発が行われている。このような映像表示装置を利用すると、複数のユーザは一つの映像表示装置を利用しながらも、自分所望のコンテンツを個別的に選択して観ることができる。映像表示装置でディスプレイ可能なコンテンツには放送受信画面だけでなく、各種番組実行画面等もあってよい。各ユーザは自分のコンテンツを視聴するために、コンテンツ切り替え命令を入力して新たなコンテンツを視聴することができる。
【００１２】
しかし、従来のように、複数のコンテンツの映像フレームの各々に対して従来のＡＢＬ（Ａｄａｐｔｉｖｅ  Ｂｒｉｇｈｔｎｅｓｓ  Ｌｉｍｉｔｅｒ）等のような輝度調整方法をそのまま適用する場合、各コンテンツに対応する輝度よおび画質を実現することが困難であるという問題があった。このような問題は、有機電界発光表示装置のような自発光ディスプレイ素子を備えるディスプレイパネルを利用する場合、ＳＭＰＳ（Ｓｗｉｃｈ  Ｍｏｄｅ  Ｐｏｗｅｒ  Ｓｕｐｐｌｙ）  Ｌｏａｄ問題により、自発光ディスプレイ素子の性能を悪化させるという問題もある。
【先行技術文献】
【特許文献】
【００１３】
【特許文献１】日本特開第２０１１−１００３３１号公報
【特許文献２】日本特開第２０１０−２２６９３９号公報
【特許文献３】米国特開第２０１１−０００７１０２号公報
【特許文献４】米国特開第２０１１−０１１５８３２号公報
【発明の概要】
【発明が解決しようとする課題】
【００１４】
そこで、本発明は、上記問題に鑑みてなされたものであり、本発明の第１目的は、ＯＬＥＤパネルに提供される映像信号に基づいて、ＯＬＥＤパネルに供給される駆動電源に対してフィードフォワード制御を行うことができる映像表示装置、電源供給装置および電源供給方法を提供することにある。
【００１５】
なお、本発明の第２目的は、カラー発光素子別に、所謂ヘッドルーム電圧が互いに似たような電圧になるようにし、円階調および輝度はカラー別のデューティ比を調節して補償しようとする映像表示装置および映像表示方法を提供することにある。
【００１６】
さらに、本発明の第３目的は、映像フレームデータのＲ、Ｇ、Ｂ値を各々確認して最大の電流値を算出し、ＤＣ電圧を最大の電流値に対応する電圧レベルを有するＤＣ電圧に変換して供給することにより、電圧効率を向上させる電源供給装置、電源供給方法および映像表示装置を提供することにある。
【００１７】
本発明の第３目的は、連続する各フレームに必要な電圧レベル間の変換作業に費やされるビルドアップ（ｂｕｉｌｄ  ｕｐ）時間を予測することにより、電力効率を高める電源供給装置、電源供給方法および映像表示装置を提供することにある。
【００１８】
本発明の実施形態に係るＯＬＥＤの温度上昇による影響を考慮することにより、電力効率を向上させ、正確な階調の表現を可能とする電源供給装置、電源供給方法および映像表示装置を提供することにある。
【００１９】
本発明の第４目的は、電圧供給部を２段電力変換構造で構成し、各画素に含まれたＯＬＥＤのカラーまたは複数の画素組によって各々異なる大きさの電源を供給することにより、システム全電力効率を高め、回路を小型化させる映像表示装置および映像表示方法を提供することにある。
【００２０】
本発明の第５目的は、複数のコンテンツの各々に対して別途の輝度調整を行う映像表示装置および輝度調整方法を提供することにある。
【課題を解決するための手段】
【００２１】
上述の第１目的を達成するための本発明の一実施形態に係る映像表示装置は、映像信号および駆動電源を受信して映像を表示するＯＬＥＤ（Ｏｒｇａｎｉｃ  Ｌｉｇｈｔ  Ｅｍｉｔｔｉｎｇ  Ｄｉｏｄｅｓ）パネル部と、前記ＯＬＥＤパネル部に映像信号を提供する映像信号提供部と、前記ＯＬＥＤパネル部に駆動電源を供給し、前記映像信号に基づいて、前記駆動電源に対するフィードフォワード（ｆｅｅｄ−ｆｏｒｗａｒｄ）制御を行う電圧供給部とを含む。
【００２２】
この場合、前記電圧供給部は、前記映像信号の輝度情報に基づいて、前記ＯＬＥＤパネル部に供給される駆動電流を予測し、予測された駆動電流に基づいて駆動電源に対するフィードフォワード制御を行ってよい。
【００２３】
この場合、前記輝度情報は、ＯＬＥＤパネル部の発光レベルの情報および前記発光レベルが適用されるタイミング情報を含んでよい。
【００２４】
この場合、前記電圧供給部は、ＯＬＥＤパネル部の複数の発光レベルに対応する複数の駆動電流値を保存するルックアップテーブルを用いて、前記輝度情報に対応する駆動電源が前記輝度情報に対応するタイミングで出力されてよい。
【００２５】
一方、本映像表示装置は、前記電圧供給部から前記ＯＬＥＤパネル部に前記駆動電源を提供するケーブルを更に含み、前記電圧供給部は、前記ケーブルと前記ＯＬＥＤパネル部とが共通で接するノードの電圧に基づいて前記駆動電圧に対するフィードバック制御を行うと同時に、前記映像信号に基づいて前記駆動電源に対するフィードフォワード制御を行ってよい。
【００２６】
一方、前記電圧供給部は、外部ＡＣ電源をＤＣ電源に整流する整流部と、前記整流されたＤＣ電源を変圧して駆動電源で出力する変圧部と、前記整流されたＤＣ電源を選択的に前記変圧部に提供するスイッチング部と、前記映像信号に基づいて、前記変圧部から出力される駆動電源に対するフィードフォワード制御が行われるように前記スイッチング部を制御する電源制御部とを含む。
【００２７】
この場合、前記電源制御部は、前記変圧器から出力される駆動電源の駆動電圧に対してフィードバック制御を行うと同時に、前記映像信号に基づいたフィードフォワード制御を行ってよい。
【００２８】
一方、前記電源制御部は、前記電圧供給部から前記ＯＬＥＤパネル部に前記駆動電源を提供するケーブルを更に含み、前記電源制御部は、前記ケーブルと前記ＯＬＥＤパネル部とが共通で接するノードの電圧に対してフィードバック制御を行うと同時に、前記映像信号に基づいたフィードフォワード制御を行ってよい。
【００２９】
一方、本実施形態に係るＯＬＥＤパネルに駆動電源を提供する電源供給装置は、外部ＡＣ電源をＤＣ電源に整流する整流部と、前記整流されたＤＣ電源を変圧して前記ＯＬＥＤパネルに駆動電源に出力する変圧部と、前記整流されたＤＣ電源を選択的に前記変圧部に提供するスイッチング部と、前記ＯＬＥＤパネルに提供される映像信号が入力される入力部と、前記入力された映像信号に基づいて、前記変圧部から出力される駆動電源に対するフィードフォワード制御が行われるように前記スイッチング部を制御する電源制御部とを含む。
【００３０】
この場合、前記電源制御部は、前記映像信号の輝度情報に基づいて、前記ＯＬＥＤパネルに供給される駆動電流を予測し、予測された駆動電流に基づいて前記スイッチング部を制御してよい。
【００３１】
この場合、前記輝度情報は、ＯＬＥＤパネルの発光レベルの情報および前記発光レベルが適用されるタイミング情報を含んでよい。
【００３２】
この場合、前記電源制御部は、ＯＬＥＤパネルの複数の発光レベルに対応する複数の駆動電流値を保存するルックアップテーブルを用いて、前記輝度情報に対応する駆動電源が前記輝度情報に対応するタイミングで出力されてよい。
【００３３】
一方、前記電源制御部は、前記変圧器から出力される駆動電源の駆動電圧に対してフィードバック制御を行うと同時に、前記映像信号に基づいたフィードフォワード制御を行ってよい。
【００３４】
一方、前記電源制御部は、前記駆動電源を前記ＯＬＥＤパネルに提供するケーブルと前記ＯＬＥＤパネルとが共通で接するノードの電圧に対してフィードバック制御を行うと同時に、前記映像信号に基づいたフィードフォワード制御を行ってよい。
【００３５】
一方、本実施形態に係るＯＬＥＤパネルに駆動電源を提供する電源供給装置の電源供給方法は、外部ＡＣ電源をＤＣ電源に整流するステップと、前記整流されたＤＣ電源を選択的に出力するステップと、前記選択的に出力される整流されたＤＣ電源を変圧して前記ＯＬＥＤパネルに駆動電源で出力するステップと、前記ＯＬＥＤパネルに提供される映像信号が入力されるステップと、前記入力された映像信号に基づいて、前記出力される駆動電源に対するフィードフォワード制御を行うステップとを含む。
【００３６】
この場合、前記フィードフォワード制御を行うステップは、前記映像信号の輝度情報に基づいて、前記ＯＬＥＤパネルに供給される駆動電流を予測し、予測された駆動電流に基づいてフィードフォワード制御を行ってよい。
【００３７】
この場合、前記輝度情報は、ＯＬＥＤパネルの発光レベルの情報および前記発光レベルが適用されるタイミング情報を含んでよい。
【００３８】
この場合、前記フィードフォワード制御を行うステップは、ＯＬＥＤパネルの複数の発光レベルに対応する複数の駆動電流値を保存するルックアップテーブルを用いて、前記輝度情報に対応する駆動電源が前記輝度情報に対応するタイミングで出力されてよい。
【００３９】
一方、前記フィードフォワード制御を行うステップは、前記変圧されて出力される駆動電源の駆動電圧に対してフィードバック制御を行うと同時に、前記映像信号に基づいてフィードフォワード制御を行ってよい。
【００４０】
一方、前記フィードフォワード制御を行うステップは、前記駆動電源を前記ＯＬＥＤパネルに提供するケーブルと前記ＯＬＥＤパネルとが共通で接するノードの電圧に対してフィードバック制御を行うと同時に、前記映像信号に基づいたフィードフォワード制御を行ってよい。
【００４１】
なお、上述の第２目的を達成するための本発明の実施形態に係る映像表示装置は、映像に対する複数のカラー画素値が入力されると、入力されたカラー画素値を変換する画素値変換部と、複数のカラー発光素子を含み、前記変換されたカラー画素値に応じて前記複数のカラー発光素子を駆動させるパネル部と、前記カラー発光素子の駆動時間をカラー別に異なるように制御するための制御信号を前記パネル部に提供する発光制御部と、前記変換されたカラー画素値に基づいて前記制御信号のデューティ比をカラー別に異なるように調整するように前記発光制御部を制御する制御部とを含む。
【００４２】
ここで、前記複数のカラー発光素子は、赤（Ｒ）、緑（Ｇ）および青（Ｂ）の発光素子を含み、前記複数のカラー画素値はＲ、Ｇ、Ｂの画素値を含んでよい。
【００４３】
前記画素値変換部は、前記入力されたカラー画素値にマッチする前記変換されたカラー画素値を、ルックアップテーブル（ＬＵＴ）形態で保存してよい。
【００４４】
前記制御部は、前記入力されたカラー画素値と前記変換されたカラー画素値との差を計算する変換値計算部とを含んでよい。
【００４５】
前記発光制御部は、前記カラー発光素子のうち、駆動電圧が大きい発光素子の順にターンオン時間を長くするように、前記制御信号のデューティ比を調整してよい。
【００４６】
前記発光制御部は、前記カラー発光素子がＲ、Ｇ、Ｂのカラー発光素子である場合、前記ターンオン時間が、
【００４７】
【数１】
2013140361.tif 000003
（ここで、ｉｘ＿ｏｒｇは入力された画素値に該当する電流値、Ｄｘ＿ｏｒｇは入力された画素値に該当するターンオン時間、ｉｘ＿ｃａｌｃは制御部で計算した電流値、Ｄｘ＿ｃａｌｃは制御部で計算したターンオン時間であり、ｘ＝ｒ、ｇ、ｂを示す）の数式を満たすように前記制御信号を生成してよい。
【００４８】
前記カラー発光素子は、同一の電源電圧（ＶＤＤ）によって駆動してよい。
【００４９】
前記パネル部は、電源電圧（ＶＤＤ）を受けて前記変換されたカラー画素値に応じて電流を発生させる第１スイッチング素子と、前記デューティ比が調整された前記制御信号の制御に従って前記電流の量を調節し、前記カラー発光素子に提供する第２スイッチング素子とを更に含んでよい。
【００５０】
前記変換されたカラー画素値の変換度合いは、電源電圧（ＶＤＤ）と前記カラー発光素子の間に接続されるスイッチング素子の電圧をダウンさせて設定した度合いに応じて決定されてよい。
【００５１】
なお、本発明の実施形態に係る映像表示方法は、映像に対する複数のカラー画素値が入力されると、入力されたカラー画素値を変換して出力するステップと、複数のカラー発光素子を含むパネル部が、前記変換されたカラー画素値に応じて前記複数のカラー発光素子を駆動させるステップと、発光制御部が前記カラー発光素子の駆動時間を異なるように制御するための制御信号を前記パネル部に提供するステップと、前記変換されたカラー画素値に基づいて前記制御信号のデューティ比をカラー別に異なるように調整するように前記発光制御部を制御するステップとを含む。
【００５２】
前記入力されたカラー画素値を変換して出力するステップは、前記入力されたカラー画素値にマッチしてルックアップテーブルの形態で保存された前記変換されたカラー画素値を出力してよい。
【００５３】
前記入力されたカラー画素値を変換して出力するステップは、前記入力されたカラー画素値と前記変換されたカラー画素値との差を計算するステップを含み、計算した結果に基づいて、前記発光制御部は、前記駆動時間をカラー別に異なるように制御するための制御信号を生成してよい。
【００５４】
前記発光制御部を制御するステップは、前記カラー発光素子のうち、駆動電圧が大きい発光素子の順にターンオン時間を長くするように、前記デューティ比を調整してよい。
【００５５】
前記発光制御部は、前記カラー発光素子がＲ、Ｇ、Ｂのカラー発光素子である場合、前記ターンオン時間が、
【００５６】
【数２】
2013140361.tif 000004
（ここで、ｉｘ＿ｏｒｇは入力された画素値に該当する電流値、Ｄｘ＿ｏｒｇは入力された画素値に該当するターンオン時間、ｉｘ＿ｃａｌｃは制御部で計算した電流値、Ｄｘ＿ｃａｌｃは制御部で計算したターンオン時間であり、ｘ＝ｒ、ｇ、ｂを示す）の数式を満たすように前記制御信号を生成してよい。
【００５７】
上述の第３目的を達成するための本発明の実施形態に係る電源供給装置は、ＯＬＥＤで構成された複数の画素を含むパネル部に電源を供給するための電源供給装置において、ＤＣ電圧を前記パネル部に印加するための電圧供給部と、映像フレームデータを受信する受信部と、前記映像フレームデータのＲ、Ｇ、Ｂ値を各々確認して最大の電流値を算出し、前記ＤＣ電圧を前記最大の電流値に対応する電圧レベルを有するＤＣ電圧に変換して前記パネル部に印加するように前記電圧供給部を制御する制御部とを含む。
【００５８】
前記制御部は、連続する二つの映像フレームのＲ、Ｇ、Ｂ値に対応する最大の電流値を各々算出し、各最大の電流値に対応する電圧レベルの間の差を算出し、前記電圧レベル間の変換作業にかかるビルドアップ時間を予測し、前記二つの映像フレームのうち、後方映像フレームの出力タイミングを基準とし、前記ビルドアップ時間の前に前記変換作業を開始するように前記電圧供給部を制御してよい。
【００５９】
前記制御部は、前記パネル部の温度情報に応じて前記最大の電流値を補償し、前記ＤＣ電圧を前記補償された最大の電流値に対応する電圧レベルを有するＤＣ電圧に変換し、前記パネル部に印加するように前記電圧供給部を制御してよい。
【００６０】
前記電圧供給部は、入力電圧の力率を補償するＰＦＣ部と、前記ＰＦＣ部の出力ＤＣ電圧を前記ＤＣ電圧に変換して、前記パネル部に印加するＤＣ／ＤＣコンバータを含んでよい。
【００６１】
前記電圧供給装置は、保存部を更に含み、前記制御部は、前記温度情報に応じて補償された最大の電流値、前記補償された最大の電流値に対応する電圧レベルおよび前記ビルドアップ時間を前記保存部に保存するように制御してよい。
【００６２】
本発明の実施形態に係る電源供給方法は、ＯＬＥＤで構成された複数の画素を含むパネル部に電源を供給するための電源供給装置の電源供給方法において、映像フレームデータを受信するステップと、前記映像フレームデータのＲ、Ｇ、Ｂ値を各々確認して最大の電流値を算出するステップと、前記算出された最大の電流値を用いて、前記電源供給装置の出力ＤＣ電圧を前記最大の電流値に対応する電圧レベルを有するＤＣ電圧に変換するステップと、前記変換されたＤＣ電圧を前記パネル部に印加するステップとを含む。
【００６３】
連続する二つの映像フレームのＲ、Ｇ、Ｂ値に対応する最大の電流値を各々算出し、各最大の電流値に対応する電圧レベルの間の差を算出し、前記電圧レベル間の変換作業にかかるビルドアップ時間を予測するステップを更に含み、前記変換するステップは、前記二つの映像フレームのうち、後方映像フレームの出力タイミングを基準とし、前記ビルドアップ時間の前に前記変換を行ってよい。
【００６４】
前記パネル部の温度情報に応じて前記最大の電流値を補償するステップを更に含み、前記変換するステップは、前記出力ＤＣ電圧を前記補償された最大の電流値に対応する電圧レベルを有するＤＣ電圧に前記変換を行ってよい。
【００６５】
前記電源供給方法は、入力ＤＣ電圧の力率を補償するステップと、前記補償されたＤＣ電圧を前記出力ＤＣ電圧に変換して、前記パネル部に提供するステップを更に含んでよい。
【００６６】
前記電源供給方法は、前記温度情報に応じて補償された最大の電流値、前記補償された最大の電流値に対応する電圧レベルおよび前記ビルドアップ時間を保存するステップを更に含んでよい。
【００６７】
本発明の実施形態に係る映像表示装置は、映像信号を受信するインターフェース部と、ＯＬＥＤで構成された複数の画素で構成され、前記映像信号に対応する映像フレームを表示するパネル部と、ＤＣ電圧を前記パネル部に印加するための電圧供給部と、前記映像信号に対応する映像フレームデータのＲ、Ｇ、Ｂ値を各々確認して最大の電流値を算出し、前記ＤＣ電圧を前記最大の電流値に対応する電圧レベルを有するＤＣ電圧に変換して前記パネル部に印加するように前記電圧供給部を制御する制御部とを含む。
【００６８】
前記制御部は、連続する二つの映像フレームのＲ、Ｇ、Ｂ値に対応する最大の電流値を各々算出し、各最大の電流値に対応する電圧レベルの間の差を算出し、前記電圧レベル間の変換作業にかかるビルドアップ時間を予測し、前記二つの映像フレームのうち、後方映像フレームの出力タイミングを基準とし、前記ビルドアップ時間の前に前記変換作業を開始するように前記電圧供給部を制御してよい。
【００６９】
前記映像表示装置は、前記パネル部の温度を検知するセンサ部を更に含み、前記制御部は、前記検知された温度情報に応じて前記最大の電流値を補償し、前記ＤＣ電圧を前記補償された最大の電流値に対応する電圧レベルを有するＤＣ電圧に変換し、前記パネル部に印加するように前記電圧供給部を制御してよい。
【００７０】
前記電圧供給部は、入力電圧の力率を補償するＰＦＣ部と、前記ＰＦＣ部の出力ＤＣ電圧を前記ＤＣ電圧に変換して、前記パネル部に印加するＤＣ／ＤＣコンバータを含んでよい。
【００７１】
前記電圧供給装置は、保存部を更に含み、前記制御部は、前記温度情報に応じて補償された最大の電流値、前記補償された最大の電流値に対応する電圧レベルおよび前記ビルドアップ時間を前記保存部に保存するように制御してよい。
【００７２】
前記映像表示装置は、前記複数の画素に走査信号を提供する走査駆動部と、前記複数の画素にデータ信号を提供するデータ駆動部とを更に含んでよい。
【００７３】
上述の第４目的を達成するための本発明の実施形態に係る映像表示装置は、映像信号を受信するインターフェース部と、ＯＬＥＤを各々含む複数の画素で構成されるパネル部と、異なる大きさの複数の電源（Ｐｏｗｅｒ）を前記パネル部に同時に供給し、前記映像信号に対応する映像フレームを表示するように前記パネル部を駆動するパネル駆動部とを含む。
【００７４】
前記パネル駆動部は、各画素に含まれたＯＬＥＤのカラーに応じて相違なる大きさの電源を前記パネル部に供給してよい。
【００７５】
前記パネル駆動部は、Ｒｅｄ  ＯＬＥＤを含む画素に対しては第１電源を供給し、Ｂｌｕｅ  ＯＬＥＤを含む画素に対しては第１電源より大きい第２電源を供給してよい。
【００７６】
前記パネル駆動部は、Ｇｒｅｅｎ  ＯＬＥＤを含む画素に対しては、前記第１電源および前記第２電源の間の電源を供給してよい。
【００７７】
前記映像表示装置は、前記複数の画素を領域別にグルーピングして複数の画素組に区分し、前記映像信号に応じて前記複数の画素組に異なる大きさの電源を選択的に供給するように前記パネル駆動部を制御する制御部を更に含んでよい。
【００７８】
前記制御部は、前記映像信号の映像フレームを表示する各画素の階調値を検出し、階調値の大きさを基準とし、各画素組に供給される電源の大きさを決定し、前記決定された大きさの電源を各画素組に供給するように前記パネル駆動部を制御してよい。
【００７９】
前記パネル駆動部は、前記異なる大きさの複数の電源（Ｐｏｗｅｒ）を供給するための電圧供給部を含み、前記電圧供給部は、電源を受信して力率を補償するＰＦＣ部と、前記力率が補償された電源を前記複数の電源にコンバートするＤＣ／ＤＣコンバータと、前記ＤＣ／ＤＣコンバータの出力をスイッチングするスイッチング部とを含んでよい。
【００８０】
前記パネル駆動部は、前記複数の画素に走査信号を提供する走査駆動部と、前記複数の画素にデータ信号を提供するデータ駆動部とを更に含んでよい。
【００８１】
本発明の実施形態に係る映像表示方法は、ＯＬＥＤを各々含む複数の画素で構成されるパネル部を含む映像表示装置の映像表示方法において、映像信号を受信するステップと、異なる大きさの複数の電源を前記パネル部に同時に供給するステップと、前記パネル部上に映像信号に対応する映像フレームを表示するステップとを含む。
【００８２】
前記供給するステップは、各画素に含まれたＯＬＥＤのカラーに応じて相違なる大きさの電源を前記パネル部に供給してよい。
【００８３】
前記供給するステップは、Ｒｅｄ  ＯＬＥＤを含む画素に対しては第１電源を供給し、Ｂｌｕｅ  ＯＬＥＤを含む画素に対しては第１電源より大きい第２電源を供給してよい。
【００８４】
前記供給するステップは、Ｇｒｅｅｎ  ＯＬＥＤを含む画素に対しては、前記第１電源および前記第２電源の間の電源を供給してよい。
【００８５】
前記複数の画素を領域別にグルーピングして複数の画素組に区分するステップを更に含み、前記供給するステップは、前記映像信号に応じて前記複数の画素組に異なる大きさの電源を選択的に供給してよい。
【００８６】
前記供給するステップは、前記映像信号の映像フレームを表示する各画素の階調値を検出し、階調値の大きさを基準とし、各画素組に供給される電源の大きさを決定し、前記決定された大きさの電源を各画素組に供給してよい。
【００８７】
前記供給するステップは、電源を受信して力率を補償するステップと、前記力率が補償された電源を前記複数の電源にコンバートするステップと、前記コンバートされた複数の電源をスイッチングするステップとを含んでよい。
【００８８】
前記複数の画素に走査信号を提供するステップと、前記複数の画素にデータ信号を提供するステップとを更に含んでよい。
【００８９】
上述の第５目的を達成するための映像表示装置は、複数のコンテンツの映像フレームの各々の輝度情報を検出し、前記輝度情報の大きさに対応する大きさの輝度調整ゲインを用いて前記複数のコンテンツの各々の映像フレームの輝度を調整する複数の映像処理部と、前記複数の映像処理部から出力される映像フレームをマキシングするＭＵＸ部と、前記ＭＵＸ部から出力されるデータに応じて前記複数のコンテンツをディスプレイするディスプレイ部とを含む。
【００９０】
前記映像表示装置は、映像フレーム単位で組み合わせられた前記複数のコンテンツを受信して各コンテンツの映像フレームを分離し、分離された各映像フレームを前記複数の映像フレームに提供するデータ分離部を更に含んでよい。
【００９１】
前記複数の映像処理部の各々は、コンテンツの映像フレームの輝度情報を検出する検出部と、前記検出された輝度情報に対応する大きさの輝度調整ゲインを算出する算出部と、前記算出された輝度調整ゲインに応じて前記映像フレームの輝度を調整する変換部とを含んでよい。
【００９２】
前記複数の映像処理部は、ＡＢＬ（Ａｄａｐｔｉｖｅ  Ｂｒｉｇｈｔｎｅｓｓ  Ｌｉｍｉｔｅｒ）およびＡＰＣ（Ａｄａｐｔｉｖｅ  Ｐｉｃｔｕｒｅ  ｌｅｖｅｒ  Ｃｏｎｔｒｏｌ）のうち、少なくとも何れか一つに応じて、前記複数のコンテンツの各々の映像フレームの輝度を調整してよい。
【００９３】
前記ディスプレイ部は、複数の自発光（Ｓｅｌｆ  Ｌｉｇｈｔ  Ｅｍｉｔｔｉｎｇ）ディスプレイ素子を含んでよい。
【００９４】
なお、本発明の実施形態に係る映像表示装置のコンテンツ輝度調整方法は、複数のコンテンツの映像フレームの各々の輝度情報に対応する輝度調整ゲインを用いて前記複数のコンテンツの各々の映像フレームの輝度を調整するステップと、前記調整された輝度を有する各映像フレームをマキシングするステップと、前記マキシングされた映像フレームをディスプレイするステップとを含む。
【００９５】
前記コンテンツ輝度調整方法は、映像フレーム単位で組み合わせられた前記複数のコンテンツを受信して各コンテンツの映像フレームを分離するステップを更に含んでよい。
【００９６】
前記輝度を調整するステップは、コンテンツの映像フレームの輝度情報を検出するステップと、前記検出された輝度情報に対応する大きさの輝度調整ゲインを算出するステップと、前記算出された輝度調整ゲインに応じて前記映像フレームの輝度を調整するステップとを含んでよい。
【００９７】
前記輝度を調整するステップは、ＡＢＬ（Ａｄａｐｔｉｖｅ  Ｂｒｉｇｈｔｎｅｓｓ  Ｌｉｍｉｔｅｒ）およびＡＰＣ（Ａｄａｐｔｉｖｅ  Ｐｉｃｔｕｒｅ  ｌｅｖｅｒ  Ｃｏｎｔｒｏｌ）のうち、少なくとも何れか一つに応じて、前記複数のコンテンツの各々の映像フレームの輝度を調整してよい。
【００９８】
前記ディスプレイ部は、複数の自発光（Ｓｅｌｆ  Ｌｉｇｈｔ  Ｅｍｉｔｔｉｎｇ）ディスプレイ素子を用いてディスプレイしてよい。
【発明の効果】
【００９９】
以上説明したように、本発明によれば、電源供給方法は、ＯＬＥＤパネルに要求される駆動電流を予測し、予測された駆動電流に対応する駆動電源をＯＬＥＤパネル部に提供するため、パルス形態の大電流ＯＬＥＤ負荷特性によって遷移区間から発生し得るＯＬＥＤの大きい電圧降下を減衰することができるようになる。
【０１００】
本発明によれば、第１スイッチング素子は円画素値によって駆動する時より発熱が軽減し、なお、減少された画素値の差分だけ第２スイッチング素子をＰＷＭ制御することにより、円画素値によって駆動する時に比べてＲ、Ｇ、Ｂ画素の階調および輝度は同様に保持することができるようになる。
【０１０１】
本発明の多様な実施形態によれば、映像フレームデータのＲ、Ｇ、Ｂ値を各々確認して最大の電流値を算出し、ＤＣ電圧を最大の電流値に対応する電圧レベルを有するＤＣ電圧に変換して供給することにより、電力効率を向上させることができる。なお、連続する各フレームに必要な電圧レベル間の変換作業にかかるビルドアップ時間を予測することにより、電力効率を向上させることができる。なお、ＯＬＥＤの温度上昇による影響を考慮することにより、電力効率を向上させ、正確な階調の表現を可能とする。
【０１０２】
本発明の多様な実施形態によれば、電圧供給部を２段電力変換構造で構成し、受信された映像信号を分析し、画素別に、または複数の画素が含まれたブロック別に供給される電源を制御することにより、システム全電力効率を向上させ、回路を小型化にすることができる。
【図面の簡単な説明】
【０１０３】
【図１】本発明の第１実施形態に係る映像表示装置の概略構成を示すブロック図である。
【図２】本発明の第１実施形態に係る映像表示装置の具体的な構成を示すブロック図である。
【図３】本発明の第１実施形態に係る電源供給装置の具体的な構成を示すブロック図である。
【図４】本発明の第１実施形態に係る電源供給装置の回路図である。
【図５】本発明の第１実施形態の別の例を示す電源供給装置の回路図である。
【図６】映像信号の例を示す図である。
【図７】本発明の第１実施形態に係るルックアップテーブルを例示した図である。
【図８】本発明の第１実施形態に係る電圧供給部の駆動電源の波形図である。
【図９】本発明の第１実施形態に係る電源供給方法を示すフローチャートである。
【図１０】本発明の第２実施形態に係る映像表示装置の構造を示すブロック図である。
【図１１】図１０のピクセル部の細部構成を例示する図である。
【図１２】図１１のスイッチング素子のＰＷＭ制御を説明するための図である。
【図１３】本発明の第２実施形態に係る映像表示方法を示すフローチャートである。
【図１４】本発明の第３実施形態に係る電源供給装置を示すブロック図である。
【図１５】本発明の第３実施形態に係る電源供給方法を説明するためのグラフである。
【図１６】本発明の第３実施形態に係る有機電界発光表示装置を示すブロック図である。
【図１７】本発明の第３実施形態に係る電源供給方法を示すフローチャートである。
【図１８】本発明の第４実施形態に係る有機電界発光表示装置を示すブロック図である。
【図１９】本発明の第４実施形態の別の例に係る有機電界発光表示装置を示すブロック図である。
【図２０】図１８および図１９の有機電界発光表示装置を具体的に示すブロック図である。
【図２１】本発明の第４実施形態に係る映像表方法を示すフローチャートである。
【図２２】図２１の映像表示方法を具体的に示すフローチャートである。
【図２３Ａ】本発明の第５実施形態に係るコンテンツ提供システムの構成を示す模式図である。
【図２３Ｂ】本発明の第５実施形態に係るコンテンツ提供システムの構成を示す模式図である。
【図２４Ａ】本発明の多様な実施形態に係る同期化信号伝送方法を説明するための図である。
【図２４Ｂ】本発明の多様な実施形態に係る同期化信号伝送方法を説明するための図である。
【図２５Ａ】本発明の多様な実施形態に係る映像表示装置の構成を説明するためのブロック図である。
【図２５Ｂ】本発明の多様な実施形態に係る映像表示装置の構成を説明するためのブロック図である。
【図２６】本発明の第５実施形態に係る映像処理部の具体的な構成を説明するためのブロック図である。
【図２７】本発明の第５実施形態に係るメガネ装置の構成を示すブロック図である。
【図２８Ａ】本発明に係る輝度調整効果を従来と比較するための図である。
【図２８Ｂ】本発明に係る輝度調整効果を従来と比較するための図である。
【図２９】本発明の第５実施形態に係るコンテンツ輝度調整方法を示すフローチャートである。
【発明を実施するための形態】
【０１０４】
以下に添付図面を参照しながら、本発明の好適な実施形態について詳細に説明する。
【０１０５】
＜第１目的を達成するための実施形態＞
図１は、本発明の第１実施形態に係る映像表示装置の概略構成を示すブロック図である。
【０１０６】
図１を参照すると、本実施形態に係る映像表示装置１００は、ＯＬＥＤパネル部１１０と、映像信号提供部１２０および電圧供給部２００で構成されてよい。
【０１０７】
ＯＬＥＤパネル部１１０は、映像信号および駆動電源を受信し、映像を表示する。具体的に、ＯＬＥＤパネル部１１０は、後述の映像信号提供部１２０から提供される映像信号および電圧供給部２００から供給される駆動電源に対応して映像を表示することができる。そのために、ＯＬＥＤパネル部１１０は、有機発光ダイオードを含む複数の画素を備えることができる。
【０１０８】
映像信号提供部１２０は、ＯＬＥＤパネル部１１０に映像信号を提供する。具体的に、映像信号提供部１２０は、映像データに対応して映像データおよび／または映像データを表示するための多様な映像信号をＯＬＥＤパネル部１１０に供給する。ここで、映像信号は、発光レベルの情報を伝達する発光区間と発光区間が適用されるアドレス情報を伝達するアドレッシング区間を有し、一つのフレーム周期に一つの発光区間およびアドレッシング区間を有する。このように、映像信号はパルス形態を有するため、アドレッシング区間から発光区間に遷移する区間においては、大きな電圧降下が発生することができる。
【０１０９】
電圧供給部２００は、ＯＬＥＤパネル部１１０に駆動電源を供給し、映像信号に基づいて駆動電源に対するフィードフォワード（ｆｅｅｄ−ｆｏｒｗａｒｄ）制御を行う。ここで、フィードフォワード制御とは、外乱による制御量の変化を予め予測し、それに対応する制御動作を行わせて、応答を早めた制御方式で、本実施形態においては、ＯＬＥＤパネル部１１０に提供される映像信号に基づいてＯＬＥＤパネル部１１０に要求される駆動電流を予測し、予測された駆動電流に基づいてＯＬＥＤパネル部１１０に供給される駆動電源を制御する。このような電圧供給部２００の具体的な構成および動作に対しては、図３ないし図５を参照して後述する。
【０１１０】
ケーブル２１０は、電圧供給部２００からＯＬＥＤパネル部１１０に駆動電源を提供する。そして、ケーブル２１０は、ＯＬＥＤパネル部１１０と共通で接するノードの電圧値を電圧供給部２００に提供することができる。
【０１１１】
以上においては、映像表示装置１００の概略構成についてのみ説明したが、映像表示装置１００は、図２に示すような構成を含むことができる。映像表示装置１００の具体的な構成については、図２を参照して以下で説明する。
【０１１２】
図２は、本発明の第１実施形態に係る映像表示装置の具体的な構成を示すブロック図である。
【０１１３】
図２を参照すると、本発明の第１実施形態に係る映像表示装置１００は、ＯＬＥＤパネル部１１０と、映像信号提供部１２０と、放送受信部１３０と、信号分離部１３５と、Ａ／Ｖ処理部１４０と、オーディオ出力部１４５と、保存部１５０と、通信インターフェース部１５５と、操作部１６０と、制御部１７０および電圧供給部２００を含む。
【０１１４】
ＯＬＥＤパネル部１１０と、電圧供給部２００の動作は、図１と同様であるため、繰り返し説明は省略する。一方、図示の例では、電圧供給部２００が、ＯＬＥＤパネル部１１０および制御部１７０のみに電源を供給するものとして示したが、電圧供給部２００は、映像表示装置１００内の電源が要求される全構成に電源を提供することができる。
【０１１５】
放送受信部１３０は、放送局または衛星から有線または無線により放送を受信して復調する。
【０１１６】
信号分離部１３５は、放送信号を映像信号、オーディオ信号、付加情報信号に分離する。そして、信号分離部１３５は、映像信号およびオーディオ信号をＡ／Ｖ処理部１４０に伝送する。
【０１１７】
Ａ／Ｖ処理部１４０は、放送受信部１３０および保存部１５０から入力された映像信号およびオーディオ信号に対してビデオデコード、ビデオスケーリング、オーディオデコード等の信号処理を行う。そして、Ａ／Ｖ処理部１４０は、映像信号を映像信号提供部１２０に出力し、オーディオ信号をオーディオ出力部１４５に出力する。
【０１１８】
一方、受信された映像及びオーディオ信号を保存部１５０に保存する場合、Ａ／Ｖ処理部１４０は、映像とオーディオを圧縮した形態で保存部１５０に出力することができる。
【０１１９】
オーディオ出力部１４５は、Ａ／Ｖ処理部１４０から出力されるオーディオ信号をサウンドに変換してスピーカ（図示せず）を通じて出力させたり、外部出力端子（図示せず）を通じて接続された外部機器に出力する。
【０１２０】
映像信号提供部１２０は、ユーザに提供するためのＧＵＩ（Ｇｒａｐｈｉｃ  Ｕｓｅｒ  Ｉｎｔｅｒｆａｃｅ）を生成する。そして、映像信号提供部１２０は、生成されたＧＵＩをＡ／Ｖ処理部１４０から出力された映像に付加する。そして、映像信号提供部１２０は、ＧＵＩが付加された映像に対応する映像信号をＯＬＥＤパネル部１１０に提供する。それにより、ＯＬＥＤパネル部１１０は、映像表示装置１００から提供する各種情報および映像信号提供部１２０から伝達された映像を表示する。
【０１２１】
そして、保存部１５０は、映像コンテンツを保存することができる。具体的に、保存部１５０は、Ａ／Ｖ処理部１４０から映像とオーディオが圧縮された映像コンテンツを受けて保存することができ、制御部１７０の制御に応じて保存された映像コンテンツをＡ／Ｖ処理部１４０に出力することができる。一方、保存部１５０は、ハードディスクや非揮発性メモリ、揮発性メモリ等で実現されてよい。
【０１２２】
操作部１６０は、タッチスクリーンやタッチパッド、キーボタン、キーパッド等で実現され、映像表示装置１００のユーザ操作を提供する。本実施形態においては、映像表示装置１００に備えられた操作部１６０を介して制御命令が入力される例を説明したが、操作部１６０は、外部制御装置（例えば、リモコン）からユーザ操作が入力されてよい。
【０１２３】
通信インターフェース部１５５は、映像表示装置１００を外部装置（図示せず）と接続するために形成され、外部装置とローカルエリアネットワーク（ＬＡＮ：Ｌｏｃａｌ  Ａｒｅａ  Ｎｅｔｗｏｒｋ）およびインターネット網を通じて接続される形態だけでなく、ＵＳＢ（Ｕｎｉｖｅｒｓａｌ  Ｓｅｒｉａｌ  Ｂｕｓ）ポートを通じて接続される形態も可能である。
【０１２４】
制御部１７０は、映像表示装置１００の動作全般を制御する。具体的に、制御部１７０は、操作部１６０を介して入力された制御命令による映像が表示されるように映像信号提供部１２０と、ＯＬＥＤパネル部１１０を制御することができる。
【０１２５】
以上のように、本実施形態に係る映像表示装置は、ＯＬＥＤパネル部から要求される駆動電流を予測し、予測された駆動電流に対応する駆動電源をＯＬＥＤパネル部に提供するため、パルス形態の大電流ＯＬＥＤ負荷特性により遷移区間から生じ得るＯＬＥＤの大きな電圧降下を減衰することができるようになる、それにより、ＯＬＥＤパネルの発光遅延を防止することができるため、画質を向上させることができるようになる。
【０１２６】
一方、図２を説明するうえで、放送を受信して表示する映像表示装置についてのみ、上述のような機能が適用されるものとして説明したが、後述のような電源供給装置は、ＯＬＥＤパネルを有する如何なる電子装置にも適用可能である。
【０１２７】
一方、以上では、電圧供給部２００が映像表示装置１００に含まれる構成であるとして説明してきたが、電圧供給部２００の機能は別途の装置で実現可能である。以下では、図３を参照して電圧供給部２００と同様の機能を行う別途の電源供給装置について説明する。
【０１２８】
図３は、本発明の第１実施形態に係る電源供給装置の具体的な構成を示すブロック図である。
【０１２９】
図３を参照すると、本発明の第１実施形態に係る電源供給装置２００は、整流部２２０と、スイッチング部２３０と、変圧部２４０と、入力部２５０および電源制御部２６０で構成されてよい。
【０１３０】
整流部２２０は、外部ＡＣ電源をＤＣ電源に整流する。具体的に、整流部２２０は外部から提供されるＡＣ電源を予め設定された大きさのＤＣ電源に整流することができる。
【０１３１】
スイッチング部２３０は、整流されたＤＣ電源を選択的に変圧部２４０に提供する。具体的に、スイッチング部２３０は、後述の電源制御部２６０の制御に従って、整流部２２０から出力されるＤＣ電源を選択的に変圧部２４０に提供することができる。
【０１３２】
変圧部２４０は、整流されたＤＣ電源を変圧して駆動電源に出力する。具体的に、変圧部２４０はスイッチング部２３０を介して伝達された整流部２２０のＤＣ電源をＯＬＥＤパネル部１１０に要求される大きさのＤＣ電源に変圧することができる。このとき、変圧部２４０から出力される駆動電源は、ケーブル２１０を介してＯＬＥＤパネル部１１０に提供されてよい。
【０１３３】
入力部２５０には、映像信号が入力される。具体的に、入力部２５０は、ＯＬＥＤパネル部１１０に提供される映像信号を入力されてよい。入力部２５０を介して入力される映像信号は電源制御部２６０に提供され、駆動電源に対するフィードフォワード制御のための情報として利用される。一方、本実施形態においては、ＯＬＥＤパネル部１１０に提供される映像信号そのものを受信して利用する実施形態に対してのみ説明したが、実現時にはフィードフォワード制御時に必要な情報（例えば、輝度情報または予測される駆動電流値）のみを受信して、それを利用する形態でも実現されてよい。
【０１３４】
そして、入力部２５０には、変圧部２４０から出力される駆動電源の電圧が入力されてよい。なお、入力部２５０には、ケーブル２１０とＯＬＥＤパネル部１１０とが共通で接するノードの電圧が入力されてよい。入力部２５０を介して入力された駆動電源の電圧またはケーブルとＯＬＥＤパネル部１１０が共有で接するノードの電圧は、電源制御部２６０に提供され、駆動電源に対するフィードバック制御のための情報として利用される。
【０１３５】
電源制御部２６０は、映像信号に基づいて変圧部２４０から出力される駆動電源に対するフィードフォワード制御が行われるようにスイッチング部２３０を制御する。具体的に、電源制御部２６０は、入力部２５０を介して入力された映像信号の輝度情報に基づいて、ＯＬＥＤパネルに供給される駆動電流を予測し、予測された駆動電流に基づいてスイッチング部２３０を制御することができる。ここで、輝度情報はＯＬＥＤパネル部の発光レベルの情報および発光レベルが適用されるタイミング情報を含む。従って、電源制御部２６０は、ＯＬＥＤパネルの複数の発光レベルに対応する複数の駆動電流値を保存するルックアップテーブルを用いて、輝度情報に対応する駆動電源が輝度情報に対応するタイミングで出力されるようにしてよい。
【０１３６】
そして、電源制御部２６０は、駆動電源の駆動電圧に対してフィードバック制御を行うことができる。具体的に、電源制御部２６０は、変圧部２４０から出力される駆動電源の駆動電圧に対するフィードバック制御を行うことができる。このようなフィードバック制御は、上述のようなフィードフォワード制御とともに行われてよい。ここで、フィードバック制御は制御量と目標値とを比較し、それらを一致させるように、訂正動作を行う制御のことを意味する。従って、電源制御部２６０は、上述の輝度情報に対応する発光レベル（即ち、電圧値）を目標値として利用し、変圧部２４０から出力される駆動電圧を制御量として駆動電圧に対するフィードバック制御を行ってよい。
【０１３７】
なお、電源制御部２６０は、ケーブルとＯＬＥＤパネルとが共通で接するノードの電圧に対してフィードバック制御を行うことができる。具体的に、電源供給装置２００は、大電流をＯＬＥＤパネルに提供することにおいて、ＯＬＥＤパネルとケーブルとが共通で接するノードの電圧は、変圧部２４０の駆動電圧より低くてよい。即ち、ケーブルによって駆動電圧が電圧降下され得るため、電源制御部２６０はケーブルとＯＬＥＤパネルとが共通で接するノードの電圧に基づいてフィードバック制御を行うことができる。このようなフィードバック制御も、上述のようなフィードフォワード電圧と同時に行われてよい。なお、変圧部２４０から出力される駆動電圧に対するフィードバック制御と同時に行われてよい。
【０１３８】
以上のように、本実施形態に係る電源供給装置２００は、ＯＬＥＤパネルで要求される駆動電流を予測し、予測された駆動電流に対応する駆動電源をＯＬＥＤパネル部に提供するため、パルス形態の大電流ＯＬＥＤ負荷特性によって遷移区間から生じ得るＯＬＥＤの大きな電圧降下を減衰することができるようになる。
【０１３９】
図４は、本発明の第１実施形態に係る電源供給装置の回路図である。
【０１４０】
図４を参照すると、電源供給装置２００は、整流部２２０と、スイッチング部２３０と、変圧部２４０および電源制御部２６０で構成されてよい。
【０１４１】
整流部２２０は、外部ＡＣ電源をＤＣ電源に整流する。具体的に、整流部２２０は、整流回路２２１と、ＰＦＣ部２２３およびキャパシタ部２２５で構成されてよい。
【０１４２】
整流回路２２１は、外部ＡＣ電源を整流する。このような整流回路２２１は、図４に示すように、ブリッジ電波整流回路で実現されてよい。
【０１４３】
ＰＦＣ（Ｐｏｗｅｒ  Ｆａｃｔｏｒ  Ｃｏｒｒｅｃｔｉｏｎ）部２２３は、整流されたＡＣ電源の電圧と整流を同相に一致させる。具体的に、ＰＦＣ部２３３は整流回路２２１で整流されたＡＣ電源の電圧と電流を同相に一致させてよい。
【０１４４】
キャパシタ部２２５は、電圧と電流とが同相に一致されたＡＣ電源を平滑とする。具体的に、キャパシタ部２２５は、ＰＦＣ部２３３から出力されるＡＣ電源を予め設定された大きさを有するＤＣ電源に平滑にすることができる。
【０１４５】
スイッチング部２３０は、スイッチング素子を含む。具体的に、スイッチング素子は一端が整流部２２０の一出力端と接続され、他端が変圧部２４０の一入力端と接続される。それにより、スイッチング部２３０は、電源制御部２６０の制御に従って、キャパシタ部２２５のＤＣ電源を選択的に変圧部２４０に提供することができる。一方、本実施形態においては、一つのスイッチング素子のみを用いる例のみを示しているが、実現時には、スイッチング部２３０は二つのスイッチング素子を用いてキャパシタ部２２５のＤＣ電源を選択的に変圧部２４０に提供することもできる。
【０１４６】
変圧部２４０は、整流されたＤＣ電源を変圧して駆動電源を出力する。具体的に、変圧部２４０は、変圧回路２４１および整流回路２４３で構成されてよい。
【０１４７】
変圧回路２４１は、スイッチング部２３０を介して伝達された整流部２２０のＤＣ電源をＯＬＥＤパネル部１１０に要求される大きさの電源に変圧する。
【０１４８】
整流回路２４３は、変圧回路２４１から出力される電源を整流し、ＯＬＥＤパネル部１１０に要求される大きさのＤＣ電源を出力することができる。一方、図示の例においては、半波整流回路を用いて変圧回路２４１の出力電源をＤＣ電源に整流することのみを示しているが、実現時には、電波整流回路を用いて変圧回路２４１の出力電源をＤＣ電源に整流することもできる。
【０１４９】
このとき、変圧部２４０から出力される駆動電源は、ケーブル２１０を介してＯＬＥＤパネル部１１０に提供されてよい。
【０１５０】
電源制御部２６０は、駆動電源の駆動電圧（Ｖｏｕｔ）および映像信号を受信し、駆動電源に対するフィードバックおよびフィードフォワード制御を行ってスイッチング部２３０のスイッチング動作を制御することができる。
【０１５１】
図５は、本発明の第１実施形態の別の例を示す電源供給装置の回路図である。
【０１５２】
図５を参照すると、電源供給装置２００’は、整流部２２０と、スイッチング部２３０と、変圧部２４０と、電源制御部２６０およびＤＣ／ＤＣコンバータ２７０で構成されてよい。
【０１５３】
整流部２２０は、外部ＡＣ電源をＤＣ電源に整流する。具体的に、整流部２２０は、整流回路２２１と、ＰＦＣ部２２３およびキャパシタ部２２５で構成されてよい。
【０１５４】
整流回路２２１は、外部ＡＣ電源を整流する。このような整流回路２２１は、図５に示すように、ブリッジ電波整流回路で実現されてよい。
【０１５５】
ＰＦＣ（Ｐｏｗｅｒ  Ｆａｃｔｏｒ  Ｃｏｒｒｅｃｔｉｏｎ）部２２３は、整流されたＡＣ電源の電圧と整流を同相に一致させてよい。具体的に、ＰＦＣ部２２３は、整流回路２２１で整流されたＡＣ電源の電圧と整流とを同相に一致させることができる。
【０１５６】
キャパシタ部２２５は、電圧と電流とが同相に一致されたＡＣ電源を平滑とする。具体的に、キャパシタ部２２５は、ＰＦＣ部２３３から出力されるＡＣ電源を予め設定された大きさを有するＤＣ電源に平滑にすることができる。
【０１５７】
スイッチング部２３０は、スイッチング素子を含む。具体的に、スイッチング素子は一端がＰＦＣの一出力端と接続され、他端が変圧部２４０の一入力端と接続される。それにより、スイッチング部２３０は、電源制御部２６０の制御に従って、キャパシタ部２２５のＤＣ電源を選択的に変圧部２４０に提供することができる。一方、本実施形態においては、一つのスイッチング素子のみを用いる例のみを示しているが、実現時には、スイッチング部２３０は二つのスイッチング素子を備えてよい。
【０１５８】
変圧部２４０は、整流されたＤＣ電源を変圧する。具体的に、変圧部２４０は、変圧器（ｅｌｅｃｔｒｉｃ  ｔｒａｎｓｆｏｒｍｅｒ）を用いてスイッチング部２３０を介して選択的に伝達されるＤＣ電源を予め設定された大きさのＤＣ電源に出力してよい。
【０１５９】
ＤＣ／ＤＣコンバータ２７０は、変圧されたＤＣ電源を変圧する。具体的に、ＤＣ／ＤＣコンバータ２７０は変圧部２４０に変圧された予め設定された大きさを有するＤＣ電源をＯＬＥＤパネルを駆動するのに要求される大きさのＤＣ電源（ＶＯＬＥＤ）に変圧することができる。
【０１６０】
電源制御部２６０は、ＯＬＥＤパネル部１１０に提供される駆動電圧（ＶＯＬＥＤ）および映像信号を受信し、駆動電源（ＶＯＬＥＤ）に対するフィードバックおよびフィードフォワード制御を行ってスイッチング部２３０のスイッチング動作を制御することができる。
【０１６１】
図６は、映像信号の例を示す図である。
【０１６２】
図６を参照すると、映像信号は予め設定されたフレーム周期を有し、フレーム周期はＯＬＥＤパネルが発光する発光区間と、発光が行われていないアドレッシング区間を有する。そして、各発光区間毎に異なるＯＬＥＤ発光レベル調節電圧値を有する。
【０１６３】
従って、本実施形態では、発光区間におけるＯＬＥＤ発光レベル調節電圧値情報と当該調節電圧値が適用される発光区間の情報（即ち、タイミング情報）を用いてフィードフォワード制御を行う。
【０１６４】
図７は、本発明の第１実施形態に係るルックアップテーブルを例示した図である。
【０１６５】
図７を参照すると、ルックアップテーブル７００は、複数の発光レベルに対応した複数の駆動電流値に対する情報を保存する。ここで、発光レベルはＯＬＥＤパネルの全画素に対する平均発光レベルであってよい。
【０１６６】
図８は、本発明の第１実施形態に係る電圧供給部の駆動電源の波形図である。具体的に、図８（ａ）は、フィードバック制御のみを利用する場合の駆動電源の波形図であり、図８（ｂ）は、本実施形態のように、駆動電源に対するフィードフォワード制御を利用する場合の駆動電源の波形図である。
【０１６７】
図８（ａ）を参照すると、ＯＬＥＤパネルはパルス形態で駆動されることで、パルスが遷移する区間（Ａ）で駆動電圧に対する大きな電圧の降下が生じるようになり、それにより、ＯＬＥＤパネルに提供される駆動電流の供給が遅延（Ｂ）するようになる。
【０１６８】
しかし、図８（ｂ）を参照すると、次のパルスで要求される駆動電流の値を予測するため、パルスが遷移するとしても、大きな電圧降下が生じなくなり、それにより、ＯＬＥＤパネルに提供される駆動電流の供給も遅延されなくなることを確認することができる。なお、ＯＬＥＤパネルに要求される駆動電圧（ＶＯＬＥＤ）を精密に提供することができるようになるため、フィードバック制御時より低い駆動電圧を提供することができるようになり、電力消費を減らすことができるようになる。
【０１６９】
図９は、本発明の第１実施形態に係る電源供給方法を示すフローチャートである。
【０１７０】
図９を参照すると、まず、外部ＡＣ電源をＤＣ電源に整流する（Ｓ９１０）。具体的に、外部から提供されるＡＣ電源を予め設定された大きさのＤＣ電源に整流することができる。
【０１７１】
整流されたＤＣ電源を選択的に出力する（Ｓ９２０）。具体的に、後述のフィードフォワード制御によって整流されたＤＣ電源を選択的に出力することができる。
【０１７２】
選択的に出力されるＤＣ電源を変圧する（Ｓ９３０）。具体的に、選択的に出力されるＤＣ電源を変圧して駆動電源にＯＬＥＤパネルに出力することができる。
【０１７３】
ＯＬＥＤパネルには提供される映像信号が入力される（Ｓ９４０）。具体的に、ＯＬＥＤパネルに提供される映像信号が入力されてよい。
【０１７４】
入力された映像信号に基づいて出力される駆動電源に対するフィードフォワード制御を行う（Ｓ９５０）。具体的に、入力された映像信号の輝度情報に基づいてＯＬＥＤパネルに供給された駆動電流を予測し、予測された駆動電流に基づいてフィードフォワード制御を行うことができる。この時、輝度情報はＯＬＥＤパネル部の発光レベルの情報および発光レベルが適用されるタイミング情報を含む。従って、ＯＬＥＤパネルの複数の発光レベルに対応する複数の駆動電流値を保存するルックアップテーブルを用いて、輝度情報に対応する駆動電源が輝度情報に対応するタイミングで出力されるようにすることができる。一方、実現時には、変圧されて出力される駆動電源の駆動電圧に対してフィードバック制御を行うと同時に、映像信号に基づいてフィードフォワード制御を行うことができ、駆動電源をＯＬＥＤパネルに提供するケーブルとＯＬＥＤパネルが共通で接するノードの電圧に対してフィードバック制御を行うと同時に映像信号に基づいたフィードフォワード制御を行うこともできる。
【０１７５】
従って、本実施形態に係る電源供給方法は、ＯＬＥＤパネルに要求される駆動電流を予測し、予測された駆動電流に対応する駆動電源をＯＬＥＤパネル部に提供するため、パルス形態の大電流ＯＬＥＤ負荷特性によって遷移区間で生じ得るＯＬＥＤの大きい電圧降下を減衰することができるようになる。図９のような電源供給方法は、図１の構成を有する映像表示装置、または図９の構成を有する電源供給装置上で実行されてよく、その他に別の構成を有する映像表示装置または電源供給装置上でも実行されてよい。
【０１７６】
＜第２目的を達成するための実施形態＞
図１０は、本発明の第２実施形態に係る映像表示装置の構造を示すブロック図であり、図１１は、図１０のピクセル部の細部構成を例示する図であり、図１２は、図１１のスイッチング素子のＰＷＭ制御を説明するための図である。
【０１７７】
図１０に示すように、本発明の実施形態に係る映像表示装置は、インターフェース部１０００と、制御部１０１０と、画素値変換部１０２０と、走査駆動部１０３０＿１と、データ駆動部１０３０＿２と、発光制御部１０３０＿３と、パネル部１０４０と、電源電圧生成部１０５０および電圧供給部１０６０の一部または全てを含む。
【０１７８】
インターフェース部１０００は、例えば、グラフィックカードのような映像ボードとして外部から入力された映像データを映像表示装置の解像度に適するように変換して出力する役割を果たす。ここで、映像データは、８ビットのＲ、Ｇ、Ｂのビデオデータで構成されてよく、インターフェース部１０００は映像表示装置の解像度に適したクロック信号（ＤＣＬＫ）と垂直／水平同期信号（Ｖｓｙｎｃ、Ｈｓｙｎｃ）等の制御信号を発生する。そして、インターフェース部１０００は、垂直／水平同期信号および映像データを制御部１０１０に提供する。
【０１７９】
制御部１０１０は、インターフェース部１０００から垂直／水平同期信号を供給されて走査駆動部１０３０＿１を制御するためのゲート制御信号とデータ駆動部１０３０＿２を制御するためのデータ制御信号を生成し、更に、インターフェース部１０００からのＲ、Ｇ、Ｂデータを、例えば８ビットから６ビットに再整列してデータ駆動部１０３０＿２に再び供給することができる。それにより、制御部１０１０は制御信号を生成する制御信号生成部およびデータを再整列するデータ再整列部等を含んでよい。制御部１０１０で再整列されるＲ、Ｇ、Ｂデータは電源電圧生成部１０５０から提供される論理電圧（Ｖｌｏｇ）によってＲ、Ｇ、Ｂデータの階調情報に相応するように設定されてよい。
【０１８０】
なお、制御部１０１０は、ゲート制御信号に関連し、ゲートシフトクロック（Ｇａｔｅ  Ｓｈｉｆｔ  Ｃｌｏｃｋ：ＧＳＣ）、ゲート出力イネーブル（Ｇａｔｅ  Ｏｕｔｐｕｔ  Ｅｎａｂｌｅ：ＧＯＥ）、ゲート開始パルス（Ｇａｔｅ  Ｓｔａｒｔ  Ｐｕｌｓｅ：ＧＳＰ）等を発生させることができるが、ここで、ＧＳＣはＲ、Ｇ、Ｂ  ＯＬＥＤのような発光素子に接続されたＴＦＴのゲートがオン／オフ（Ｏｎ／Ｏｆｆ）される時間を決定する時間であり、ＧＯＥは走査駆動部１０３０＿１の出力を制御する信号であり、ＧＳＰは一つの垂直動機信号のうち、画面の一番目の駆動ラインを報知する信号である。
【０１８１】
更に、制御部１０１０は、データ制御信号に関連し、ソースサンプリングクロック（Ｓｏｕｒｃｅ  Ｓａｍｐｌｉｎｇ  Ｃｌｏｃｋ：ＳＳＣ）、ソース出力イネーブル（Ｓｏｕｒｃｅ  Ｏｕｔｐｕｔ  Ｅｎａｂｌｅ：ＳＯＥ）、ソース開始パルス（Ｓｏｕｒｃｅ  Ｓｔａｒｔ  Ｐｕｌｓｅ：ＳＳＰ）等を生成することができる。ここで、ＳＳＣは、データ駆動部１０３０＿２でデータをラッチさせるためのサンプリングクロックとして使用され、データドライブＩＣの駆動周波数を決定する。ＳＯＥは、ＳＳＣによってラッチされたデータをパネル部１０４０に伝達するようになる。ＳＳＰは、１水平同期期間中にデータのラッチまたはアンプリング開始を報知する信号である。
【０１８２】
更に、制御部１０１０は、画素値変換部１０２０および発光制御部１０３０＿３と連動する。例えば、制御部１０１０は、Ｒ、Ｇ、Ｂのデータ再整列を通じて生成された画素階調値を画素値変換部１０２０との連動下で変換して、データ駆動部１０３０＿２に提供し、変換された値だけＲ、Ｇ，Ｂの発光素子に提供される電流値の調節を通じて補償するようになる。それにより、制御部１０１０は変換値の範囲を知るために、別途の変換値計算部（図示せず）を更に含んでよく、ここで、変換値の範囲とは、入力された画素階調値と変換された画素階調値との差を表す。
【０１８３】
画素値変換部１０２０は、本発明の実施形態により、変換値をルックアップテーブル（ＬＵＴ）の形態で保存するメモリ部で構成されることが望ましい。このようなルックアップテーブルの形態の変換値は映像表示装置の製造時にシステム設計者によってその値が設定されたり、別途の設定過程を通じて保存されてよい。言い換えると、システム設計者はパネル部１０４０のＲ、Ｇ、Ｂ発光素子に接続されたスイッチング素子の両端電圧、所謂、ヘッドルーム電圧であることが分かるため、それを考慮してルックアップテーブルの形態で変換値を保存することができる。このように、保存された後、制御部１０１０が画素の階調値を提供すると、画素値変換部１０２０はマッチしている変換画素階調値を提供する。例えば、画素値変換部１０２０が入力された６ビットデータ“００００１１”に対して、“００００１０”を提供するように設定されている場合、制御部１０１０が“００００１１”を提供する時、それにマッチする“００００１０”を出力することができる。本発明の実施形態は、ヘッドルーム電圧を下げるためのものであるため、実質的に変換された画素階調値は制御部１０１０から提供した階調値より低いことが望ましい。
【０１８４】
走査駆動部１０３０＿１は、電源電圧生成部１０５０から提供されるゲートオン／オフ電圧（Ｖｇｈ／Ｖｇｌ）を受けて、制御部１０１０の制御により、パネル部１０４０に当該電圧を印加するようになる。このようなゲートオン電圧（Ｖｇｈ）は、パネル部１０４０に単位フレーム映像の実現のために、ゲートライン１（Ｓ１）でゲートラインＮ（Ｓｎ）まで順次に提供される。
【０１８５】
データ駆動部１０３０＿２は、制御部１０１０で直列（ｓｅｒｉａｌ）で提供されるＲ、Ｇ、Ｂのビデオデータを並列（ｐａｒａｌｌｅｌ）に変換し、デジタルデータをアナログ電圧に変換して、一つの水平ライン分に該当するビデオデータをパネル部１０４０に同時に、そして、各水平ライン毎に順次に提供する。例えば、制御部１０１０から提供されるビデオデータはＤ／Ａコンバータに提供されてよいが、Ｄ／Ａコンバータに提供されたビデオデータのデジタル情報は、カラーの階調を表現することができるアナログ電圧に変換されてパネル部１０４０に提供されるものである。
【０１８６】
発光制御部１０３０＿３は、制御部１０１０の制御に従って、異なるデューティ比を有する制御信号を生成してパネル部１０４０に提供する。ここで、制御信号は、例えば、Ｒ、Ｇ、Ｂ発光素子の色別にデューティ比を異なるように設定するのである。例えば、発光制御部１０３０＿３は、ＰＷＭ信号生成部を含んでよいが、ＰＷＭ信号生成部は制御部１０１０の制御に従って発光素子のカラー別にデューティ比が異なる制御信号を生成することができる。この場合、発光制御部１０３０＿３は、スイッチング素子を更に含んでよいが、このようなスイッチング素子は、パネル部１０４０に印加されるＰＷＭ信号の出力時点を制御するために、制御部１０１０の制御に従って動作されてよい。
【０１８７】
例えば、発光制御部１０３０＿３は、青（Ｂ）発光素子のターンオンされる時間を１０００とすると、緑（Ｇ）発光素子のターンオン時間は青発光素子より小さく、赤（Ｒ）発光素子のターンオン時間は青発光素子より小さくなるように、制御信号を生成することができる。この時、ターンオン時間、即ち、駆動時間は実質的に駆動電圧が高い発光素子であるほど、それに比例して長く設定されることが望ましい。より正確には、発光制御部１０３０＿３は、パネル部１０４０がＲ、Ｇ、Ｂのカラー発光素子を含む場合、ターンオン時間は数式（１）を満たすように設定されることが望ましい。
【０１８８】
【数３】
2013140361.tif 000005
ここで、ｉｘ＿ｏｒｇは入力された画素値に該当する電流値、Ｄｘ＿ｏｒｇは入力された画素値に該当するターンオン時間、ｉｘ＿ｃａｌｃは制御部で計算した電流値、Ｄｘ＿ｃａｌｃは制御部で計算したターンオン時間を表し、ｘ＝ｒ、ｇ、ｂである。
【０１８９】
パネル部１０４０は、互いに交差して画素領域を定義するための複数のゲートライン（Ｓ１〜Ｓｎ）とデータライン（Ｄ１〜Ｄｍ）が形成され、その交差する画素領域にはＯＬＥＤのようなＲ、Ｇ、Ｂの発光素子が形成されてよい。そして、画素領域の一領域、より正確には、角にはスイッチング素子、即ち、ＴＦＴが形成される。このようなＴＦＴのターンオン動作時にデータ駆動部１０３０＿２から階調電圧が各々のＲ、Ｇ、Ｂの発光素子に提供される。このとき、Ｒ、Ｇ、Ｂの発光素子は階調電圧に基づいて提供された電流量に相応して光を提供するようになる。即ち、Ｒ、Ｇ、Ｂの発光素子は多くの電流量が提供されると、その分多くの光を提供するようになる。
【０１９０】
Ｒ、Ｇ、Ｂのピクセル部をより詳細に説明すると、パネル部１０４０は、図１１に示すように、データライン（Ｄ１〜Ｄｍ）に提供される変換画素値に基づいて電流を出力する複数のスイッチング素子Ｍ２（以下、第１スイッチング素子）と、発光制御部１０３０＿３から提供される制御信号に応じて第１スイッチング素子でＲ、Ｇ、Ｂの発光素子に提供される電流量を調節する複数のスイッチング素子Ｍ３（以下、第２スイッチング素子）とを更に含んでよい。更に、パネル部１０４０のＲ、Ｇ、Ｂ発光素子は、発光制御部１０３０＿３で一つのラインを通じてデューティ比が異なる制御信号を提供されてよいが、実質的には、同一の色別に異なるラインを通じて各々の制御信号を受信することが望ましい。しかし、本発明の実施形態においては、デューティ比が異なるように調節された制御信号を同一色の発光素子に印加することができさえすれば、そのようなライン形成に特に限定しない。
【０１９１】
電源電圧生成部１０５０は、外部から常用電圧、即ち、１０１０Ｖまたは２２０Ｖの交流電圧を受けて多様なレベルのＤＣ電圧を生成して出力する。例えば、制御部１０１０のためには、階調を表現できるように、ＤＣ  １２Ｖの電圧を生成して提供することができ、走査駆動部１０３０＿１のためには、ゲートオン電圧（Ｖｇｈ）として、例えば、ＤＣ  １５Ｖ電圧を生成して提供することができ、電圧供給部１０６０のためには、ＤＣ  ２４Ｖの電圧を生成して提供する等、多様な大きさの電圧を生成して提供することができる。
【０１９２】
電圧供給部１０６０は、電源電圧生成部１０５０で提供する電圧を受けてパネル部１０４０に必要な電源電圧（ＶＤＤ）を生成して提供するか、接地電圧（ＶＳＳ）を提供することができる。更に、電圧供給部１０６０は、例えば、電源電圧生成部１０５０からＤＣ  ２４Ｖの電圧を受けて複数の電源電圧（ＶＤＤ）を生成し、制御部１０１０の制御に従って、特定の電源電圧（ＶＤＤ）を選択してパネル部１０４０に提供することができる。そのために、電圧供給部１０６０は、制御部１０１０の制御によって選択された特定電圧を提供するスイッチング素子を更に含んでよい。
【０１９３】
すると、図１０を図１１および図１２とともに参照してピクセルを構成するＲ、Ｇ、Ｂ発光素子の動作過程をより具体的に説明する。無論、図１１は、本発明の理解を促すために、例示した回路図である。
【０１９４】
図１０および図１１において説明すると、制御部１０１０は走査駆動部１０３０＿１を制御して第１ゲートライン（Ｓ１）にスキャン信号、即ち、ゲートオン電圧（Ｖｇｈ）を印加する。それにより、図１１における複数のスイッチング素子Ｍ１は同時にターンオンされる。そして、制御部１０１０は、データ駆動部１０３０＿２を制御して変換された画素値がデータラインＤ１〜Ｄ３を通じて提供されるようにする。
【０１９５】
このように提供される変換された画素値は、スイッチング素子Ｍ１を経由してキャパシタＣにチャージングされ、チャージングされた値によってスイッチング素子Ｍ２はターンオンされ、そのターンオン電圧の大きさに相応する電流がスイッチング素子Ｍ３から各々のＲ、Ｇ、Ｂ発光素子に提供されるようになる。
【０１９６】
このとき、スイッチング素子Ｍ３は、発光制御部１０３０＿３から提供されたカラー別にデューティ比が異なる制御信号に応じて動作し、スイッチング素子Ｍ１でＲ、Ｇ、Ｂ発光素子に各々提供される電流量を調節するようになる。本発明の実施形態によって、Ｒ、Ｇ、Ｂの発光素子は、図１２に示すように、青発光素子のターンオン時間が最も長く、赤発光素子のターンオン時間が最も短い。それをより一般化すると、駆動電圧が高い発光素子であるほど、ターンオン時間は長く設定されることが望ましい。
【０１９７】
それは、本発明の実施形態に係る映像表示装置が、図１１に示すＲ、Ｇ、Ｂ発光素子の一側に接続されるスイッチング素子Ｍ２の両端、即ち、ソースとドレインとの間にかかるヘッドルーム電圧を下げる代わりに、スイッチング素子Ｍ３のデューティ比、即ち、ターンオン時間の調節を通じて、Ｒ、Ｇ、Ｂの発光素子に各々提供される電流量を調節して補償することにより、変換された画素値を適用するとしても、円階調および輝度はそのまま保持できるようになる。
【０１９８】
一方、これまで見てきたような本発明の実施形態に係る映像表示装置は、走査駆動部１０３０＿１またはデータ駆動部１０３０＿２がパネル部１０４０に実装されて形成されるだけでなく、発光制御部１０３０＿３は制御部１０１０に含まれて構成されるか、パネル部１０４０に実装されて形成されてよい。更に、電圧供給部１０６０は電源電圧生成部１０５０と統合して構成されてよく、生成部１０１０はデータ再整列時に画素値変換部１０２０の役割を同時に果たすことができるようになる。従って、本発明の実施形態においては、このような構成要素の結合および分離に特に限定しない。
【０１９９】
図１３は、本発明の第２実施形態に係る映像表示方法を示すフローチャートである。
【０２００】
説明の便宜上、図１３を図１０とともに参照すると、映像表示装置、より正確には、制御部１０１０は入力されたＲ、Ｇ、Ｂデータ、即ち、画素値を変換して出力する（Ｓ１３１０）。このような過程で入力された画素値と補正された画素値との差に関連する変換情報を別途に生成した場合には、当該変換情報も併せて出力してよい。本発明の実施形態によって、映像表示装置は、例えば、図１０の画素値変換部１０２０に外部から入力されたＲ、Ｇ、Ｂデータにマッチする変換画素値をルックアップテーブルの形態で予め保存した後、制御部１０１０の要求時に当該変換画素値を出力することができる。
【０２０１】
続いて、映像表示装置の発光制御部１０３０＿３は、制御部１０１０の制御によってカラー画素別にデューティ比が異なる制御信号を生成および出力する（Ｓ１３２０）。例えば、Ｒ、Ｇ、Ｂの発光素子のうち、Ｂの発光素子が最も高い電圧で駆動されるとすると、Ｂの発光素子は入力された円画素値に比べて低い画素値が変換画素値として提供されてよいが、このとき、デューティ比のうち、ターンオン時間の比率は駆動電圧が低い残りの発光素子に比べて相対的に高く設定されてよい。言い換えると、青発光素子のターンオン時間が１０００とすると、緑発光素子は８０、赤発光素子６０程度の比率で設定されてよい。このようなターンオン時間は、変換情報に応じて多様に変更して設定されることができるため、本発明の実施形態においては、それに特に限定しない。
【０２０２】
その後、映像表示装置は、変換画素値および異なるデューティ比の制御信号を用いてカラー発光素子を駆動する（Ｓ１３３０）。言い換えると、映像表示装置は、変換画素値に基づいて発生された電流に対して異なるデューティ比の制御信号を用いることにより、電流の量を調節し、調節した電流によってＲ、Ｇ、Ｂの発光素子を駆動させる。そのために、映像表示装置は、電源電圧が提供される第１スイッチング素子を変換画素値によってターンオンさせて、当該変換画素値に相応する電流が第１スイッチング素子から出力されるようにする。そして、映像表示装置は、カラー別にデューティ比が異なる制御信号を用いて、Ｒ、Ｇ、Ｂの画素別に第２スイッチング素子のターンオン時間を調節することにより、Ｒ、Ｇ、Ｂの画素をなす発光素子に提供される電流の量を調節するようになる。
【０２０３】
それにより、第１スイッチング素子は円画素値によって駆動する時より、発熱が軽減するようになり、なお、減少された画素値が差分だけ第２スイッチング素子をＰＷＭ制御することにより、円画素値によって駆動する時に比べて、Ｒ、Ｇ、Ｂ画素の階調および輝度は同様に保持できるようになる。
【０２０４】
これまでは、本発明の実施形態に係る映像表示方法が図１０の構成を有する映像表示装置で実施されてよいということについて見てきたが、その他の構成を有する映像表示装置でもいくらでも実行されてよい。従って、本発明の実施形態に係る映像表示方法は上記の映像表示装置でのみ実施されるものとして特に限定しない。
【０２０５】
＜第３目的を達成するための実施形態＞
図１４は、本発明の第３実施形態に係る電源供給装置を示すブロック図である。
【０２０６】
図１４を参照すると、電源供給装置１４００は、受信部１４１０と、保存部１４２０と、電圧供給部１４３０および制御部１４４０を含む。ここで、電圧供給部１４３０は、ＰＦＣ部１４３１とＤＣ／ＤＣコンバータ１４３２とを含んでよい。
【０２０７】
ここで、電源供給装置１４００は、ＯＬＥＤで構成された複数の画素を含むパネル部を備えた有機電界発光表示装置に使用されてよい。電源供給装置１４００は、有機電界発光表示装置に使用されることにより、ＥＬＶＤＤ電源を供給してよい。なお、電源供給装置１４００は、ＥＬＶＳＳ電源を供給してよい。ここで、電源供給装置１４００は、ＥＬＶＤＤ電源およびＥＬＶＳＳ電源を供給するだけでなく、有機電界発光装置を構成して電源を必要とする全構成（例えば、データ駆動部（図示せず）および走査駆動部（図示せず））にも駆動電源を供給することができる。
【０２０８】
受信部１４１０は、映像信号を受信する。具体的に、受信部１４１０は、映像データを構成する複数の映像フレームデータを受信してよい。ここで、各々の映像フレームデータは、赤（Ｒｅｄ）と、緑（Ｇｒｅｅｎ）および青（Ｂｌｕｅ）の成分を有する。受信部１４１０は、映像フレームデータが受信されると、受信された映像フレームデータを制御部１４４０へ伝送する。
【０２０９】
保存部１４２０は、電源供給装置１４００の駆動に必要な多様なプログラムおよびデータを保存する機能を担う。
【０２１０】
具体的に、保存部１４２０は、後述の制御部１４４０の制御に従って、温度情報に応じて補償された最大の電流値、補償された最大の電流値に対応する電圧レベルおよびビルドアップ時間を保存してよい。
【０２１１】
ここで、上述の値は、ＬＵＴ（Ｌｏｏｋ  Ｕｐ  Ｔａｂｌｅ）形態で保存されてよい。
【０２１２】
なお、ここで、保存部１４２０は、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード等のような搭載された形態の保存素子はもちろんのこと、ＵＳＢメモリ等のような取り外し可能な形態の保存素子で実現されてよい。
【０２１３】
電圧供給部１４３０は、パネル部（図示せず）を構成する複数の画素にＤＣを電源供給する。
【０２１４】
具体的に、電圧供給部１４３０は、後述の制御部１４４０の制御に従って、算出された最大の電流値に対応する電圧レベルを有するＤＣ電圧に変換されたＥＬＶＤＤ電圧をパネル部（図示せず）に供給してよい。
【０２１５】
なお、電圧供給部１４３０は、後述の制御部１４４０の制御に従って、算出されたビルドアップ時間を用いて二つの映像フレームのうち、後方映像フレームの出力タイミング基準でビルドアップ時間の前に変換作業を開始してよい。
【０２１６】
なお、電圧供給部１４３０は、後述の制御部１４４０の制御に従って、パネル部（図示せず）の温度情報に応じて補償された最大の電流値に対応する電圧レベルを有するＤＣ電圧に変換されたＥＬＶＤＤ電圧をパネル部（図示せず）に供給してよい。
【０２１７】
なお、電圧供給部１４３０は、ＥＬＶＳＳ電圧を供給してよい。
【０２１８】
ここで、電圧供給部１４３０は、ＰＦＣ部１４３１、ＤＣ電源を供給するＤＣ／ＤＣコンバータ１４３２を含んで構成されてよい。
【０２１９】
具体的に、ＰＦＣ部１４３１は、入力された電圧の力率を補償してＤＣ／ＤＣコンバータ１４３２に出力してよい。即ち、ＰＦＣ部１４３１は、整流部（図示せず）の次の段階に位置し、入力されたＡＣ電圧が整流部（図示せず）によって整流されてＤＣ電圧が生成されると、ＰＦＣ部１４３１は整流されたＤＣ電圧の力率を補償してＤＣ／ＤＣコンバータ１４３２に出力してよい。通常、有機電界発光表示装置でＰＦＣ部１４３１の出力は４００Ｖ程度であってよい。
【０２２０】
ここで、ＰＦＣ部１４３１は、電圧供給部１４３０の電力効率を向上させるために節電回路を追加したものとして、瞬間的なパワー漏れのおそれがあるトランス、安定器のような部品に供給される電力を調節する。即ち、ＰＦＣ部１４３１は、電力消費量を減少させ、電流が熱に切り替わって温度が上昇することを遮断することにより、電力効率を向上させることができる。
【０２２１】
ここで、ＰＦＣ部１４３１は、ブーストトポロジー（Ｂｏｏｓｔ  Ｔｏｐｏｌｏｇｙ）であってよい。
【０２２２】
ＤＣ／ＤＣコンバータ１４３２は、ＤＣ電圧を供給する。即ち、ＤＣ／ＤＣコンバータ１４３２は、ＰＦＣ部１４３１から出力される力率が補償された電圧を入力として受けて、後述の制御部１４４０の制御に従って、有機電界発光装置に必要なＤＣ電圧に変換してよい。
【０２２３】
ここで、ＤＣ／ＤＣコンバータ１４３２は、従来の周知のＤＣ／ＤＣコンバータ回路を使って構成されてよい。
【０２２４】
制御部１４４０は、電源供給装置１４００の動作全般を制御する機能を担う。具体的に、制御部１４４０は、受信部１４１０と、保存部１４２０および電圧供給部１４３０を制御してよい。
【０２２５】
なお、制御部１４４０は、受信部１４１０を介して受信された映像フレームデータのＲ、Ｇ、Ｂ値を各々確認して最大の電流値を算出し、ＤＣ電圧を最大の電流値に対応する電圧レベルを有するＤＣ電圧に変換して、パネル部（図示せず）に印加するように電圧供給部１４３０を制御してよい。即ち、制御部１４４０は、映像フレームデータのＲｅｄ、Ｇｒｅｅｎ、Ｂｌｕｅ値を確認して、各Ｒｅｄ、Ｇｒｅｅｎ、Ｂｌｕｅの最大の階調値を検出することができる。そして、検出されたＲｅｄ、Ｇｒｅｅｎ、Ｂｌｕｅの最大の階調値を用いてＲｅｄ  ＯＬＥＤ、Ｇｒｅｅｎ  ＯＬＥＤ、Ｂｌｕｅ  ＯＬＥＤに流すべき電流値を算出することができる。この場合、制御部１４４０は、算出された電流値のうちの最大の電流値を検出し、最大の電流値を用いて供給されるべきＥＬＶＤＤ電圧を決定することができる。それにより、制御部１４４０は、決定されたＥＬＶＤＤ電圧を供給するようにＤＣ／ＤＣコンバータ１４３２を制御してよい。
【０２２６】
ここで、最大の電流値を利用する理由は、受信された映像フレームデータに含まれたＲｅｄ、Ｇｒｅｅｎ、Ｂｌｕｅの全階調レベルを表現するためである。
【０２２７】
即ち、従来では、有機電界発光表示装置の複数の画素に供給されるＥＬＶＤＤ電圧で１２Ｖの固定ＥＬＶＤＤ電圧を供給してきた。ただ、Ｒ、Ｇ、Ｂ値が低階調（即ち、ＯＬＥＤに印加される電流が低電流である場合）の状況で固定された１２Ｖ電源が供給されると、駆動トランジスタ（Ｔ２）にかかるＨｅａｄｒｏｏｍ電圧がＲ、Ｇ、Ｂの階調レベルを反映することができないため、駆動トランジスタ（Ｔ２）で発熱により消耗される電力が大きいという問題があった。
【０２２８】
ただ、本発明の一実施形態に係る電源供給装置１４００は、フレームデータのＲ、Ｇ、Ｂ値を各々確認して最大の電流値を算出し、ＤＣ電圧を最大の電流値に対応する電圧レベルを有するＤＣ電圧に変換して供給することにより、電力効率を向上させることができる。
【０２２９】
なお、制御部１４４０は、連続する二つの映像フレームのＲ、Ｇ、Ｂ値に対応する最大の電流値を各々算出し、各最大の電流値に対応する電圧レベルとの間の差を算出し、前記電圧レベル間の変換作業にかかるビルドアップ時間を予測することができる。それにより、制御部１４４０は、二つの映像フレームのうち、後方映像フレームの出力タイミングを基準としてビルドアップ時間の前に変換作業を開始するように、ＤＣ／ＤＣコンバータ１４３２を制御することができる。
【０２３０】
上述のように、連続する各フレームに必要な電圧レベル間の変換作業にかかるビルドアップ時間を予測することにより、電力効率をより向上させることができる。
【０２３１】
なお、制御部１４４０は、パネル部（図示せず）の温度情報によって最大の電流値を補償し、ＤＣ電圧を補償された最大の電流値に対応する電圧レベルを有するＤＣ電圧に変換してパネル部（図示せず）に印加するように電圧供給部１４３０を制御してよい。即ち、有機電界発光表示装置は、使用により熱が発生する。ここで、ＯＬＥＤは、温度に敏感な特性をもつため、温度情報を反映せずに、ＥＬＶＤＤ電圧を供給すると、受信された映像フレームデータに一致する正確な階調レベルを表現することができない。従って、本発明の一実施形態に係る電源供給装置１４００は、ＯＬＥＤの温度変化による影響を考慮することにより、電力効率を向上させ、正確な階調の表現が可能であってよい。
【０２３２】
ここで、制御部１４４０は、ＰＷＭ（Ｐｕｌｓｅ  Ｗｉｄｔｈ  Ｍｏｄｕｌａｔｉｏｎ）またはＰＦＭ（Ｐｕｌｓｅ  Ｆｒｅｑｕｅｎｃｙ  Ｍｏｄｕｌａｔｉｏｎ）等のようなデジタル制御方式で用いて、ＤＣ／ＤＣコンバータ１４３２の出力ＤＣ電圧を変換することができる。
【０２３３】
なお、制御部１４４０は、温度情報に応じて補償された最大の電流値、補償された最大の電流値に対応する電圧レベルおよびビルドアップ時間を保存部１４２０に保存するように制御することができる。従って、同一の温度条件下で後続の映像フレームデータのＲ、Ｇ、Ｂ値が現在の映像フレームデータのＲ、Ｇ、Ｂ値と同一である場合、保存部１４２０に保存された情報を用いてＤＣ／ＤＣコンバータ１４３２の動作を制御することができる。なお、連続する二つの映像フレームのＲ、Ｇ、Ｂの各最大の電流値に対応する電圧レベル間の差が保存部１４２０に保存されたビルドアップ時間に対する電圧レベル間の差が同じである場合、保存部１４２０に保存されたビルドアップ時間を用いて二つの映像フレームのうち、後方映像フレームの出力タイミングを基準としてビルドアップ時間の前に変換作業を開始するように、ＤＣ／ＤＣコンバータ１４３２を制御してよい。
【０２３４】
即ち、制御部１４００は、複数のフレームを処理してパネル部（図示せず）に表示するうえで、各フレームデータを表示するためのパネル部（図示せず）に印加される駆動電圧がフレームデータの色相情報（ＲＧＢ分布図、色温分布図等）に基づいて、適応的に可変して供給されるように電圧供給部１４３０を制御することができる。
【０２３５】
図１５は、本発明の第３実施形態に係る電源供給方法を説明するためのグラフである。
【０２３６】
図１５を参照すると、映像フレーム別に必要とする電圧レベルを反映してＥＬＶＤＤ電圧を提供することが分かる。即ち、本発明の第３実施形態に係る電源供給装置１４００は、フレームデータのＲ、Ｇ、Ｂ値を各々確認して最大の電流値を算出し、ＤＣ電圧を最大の電流値に対応する電圧レベルを有するＤＣ電圧に変換して供給することが分かる。ここで、なお、電源供給装置１４００によって供給されるＤＣ電圧は、パネル部（図示せず）の温度情報に応じて補償された最大の電流値に対応する電圧レベルであってよい。
【０２３７】
図１５（ｂ）を（ａ）に比較してみると、従来に比べて本発明の第３実施形態に係る電源供給装置１４００が電力効率がより向上していることが分かる。
【０２３８】
なお、図１５を参照すると、電圧レベル間の変換作業にかかるビルドアップ時間を予測して、二つの映像フレームのうち、後方映像フレームの出力タイミングを基準としてビルドアップ時間の前に変換作業を開始するようにすることが分かる。それにより、連続する各フレームに必要な電圧レベル間の変換作業にかかるビルドアップ時間を予測することにより、電力効率をより向上させていることが分かる。
【０２３９】
図１６は、本発明の第３実施形態に係る有機電界発光表示装置を示すブロック図である。
【０２４０】
図１６を参照すると、有機電界発光表示装置１８００は、インターフェース部１６１０と、パネル部１６２０と、Ｒ／Ｇ／Ｂ画素１６２１と、センサ部１６３０と、電圧供給部１６４０と、制御部１６５０と、データ駆動部１６６０と、走査駆動部１６７０および保存部１６８０を含む。図１６を説明するうえで、図１４において説明した箇所と重なる箇所に対しては、具体的な説明を省略する。
【０２４１】
ここで、有機電界発光表示装置１６００の駆動方式は、受動マトリクス（Ｐａｓｓｉｖｅ  Ｍａｔｒｉｘ）方式または能動マトリクス（Ａｃｔｉｖｅ  Ｍａｔｒｉｘ）方式であってよい。ただ、本発明の一実施形態に係る有機電界発光表示装置１６００は、能動マトリックス方式で駆動することが望ましい。
【０２４２】
なお、有機電界発光表示装置１６００のＲＧＢ表示方法は、独立画素方式、色変換方式（ＣＣＭ）またはカラーフィルタ方式であってよい。ただ、本発明の一実施形態に係る有機電界発光表示装置１６００は、独立画素方式を用いることが望ましい。
【０２４３】
インターフェース部１６１０は、映像信号を受信してよい。具体的に、インターフェース部１６１０は、映像データを構成する複数の映像フレームデータを受信することができる。ここで、各々の映像フレームデータは、赤（Ｒｅｄ）、緑（Ｇｒｅｅｎ）および青（Ｂｌｕｅ）の成分を有する。インターフェース部１６１０は、受信された映像信号を制御部１６５０に伝送する。映像信号が受信されると、制御部１６５０は、受信された映像信号をデータ駆動部１６６０に伝送する。
【０２４４】
パネル部１６２０は、インターフェース部１６１０を介して受信された映像信号に対応する画面を表示する。
【０２４５】
ここで、パネル部１６２０は、ＯＬＥＤ（Ｏｒｇａｎｉｃ  Ｌｉｇｈｔ  Ｅｍｉｔｔｉｎｇ  Ｄｉｏｄｅｓ）を含む複数の画素で構成されてよい。ここで、各画素は行方向に配列されて走査信号を伝達する複数の走査線（Ｓ１、Ｓ２、…、Ｓｎ−１、Ｓｎ）と列方向に配列されてデータ信号を伝達する複数のデータ線（Ｄ１、Ｄ２、…、Ｄｍ−１、Ｄｍ）を含んで構成されてよい。なお、各画素は、ＥＬＶＤＤ電源とＥＬＶＳＳ電圧を電圧供給部１６４０から伝達されてよい。上述の走査線と、データ線と、ＥＬＶＤＤ電源およびＥＬＶＳＳ電圧の動作に応じて、ＯＬＥＤを含む複数の画素は電流の流れに対応して光を発光する。
【０２４６】
ここで、パネル部１６２０は、ＯＬＥＤ単位画素を複数備えて構成されてよい。
【０２４７】
ここで、有機電界発光表示装置１６００のＲＧＢ表示方法が独立画素方式である場合、前記パネル部はＲｅｄ  ＯＬＥＤ、Ｇｒｅｅｎ  ＯＬＥＤ、Ｂｌｕｅ  ＯＬＥＤを含む複数の画素の順次の配列で構成されてよい。
【０２４８】
センサ部１６３０は、パネル部１６２０の温度を検知する。具体的に、有機電界発光表示装置は使用により熱を発生する。特に、ＯＬＥＤが備えられているパネル部１６２０から多くの熱が発生する。従って、センサ部１６３０は、パネル部の付近に形成されてパネル部１６２０の温度を検知することができる。なお、センサ部１６３０は検知された温度を制御部１６５０に伝送してよい。
【０２４９】
ここで、センサ部１６３０は、温度検知センサで実現されてよい。
【０２５０】
電圧供給部１６４０は、パネル部（図示せず）を構成する複数の画素にＤＣ電圧を電源供給する。
【０２５１】
具体的に、電圧供給部１６４０は、後述の制御部１６５０に制御に従って、算出された最大の電流値に対応する電圧レベルを有するＤＣ電圧に変換されたＥＬＶＤＤ電圧をパネル部１６２０へ供給することができる。
【０２５２】
なお、電圧供給部１６４０は、後述の制御部１６５０の制御に従って、算出されたビルドアップ時間を用いて二つの映像フレームのうち、後方映像フレームの出力タイミングを基準として、ビルドアップ時間の前に変換作業を開始することができる。
【０２５３】
なお、電圧供給部１６４０は、後述の制御部１６５０の制御に従って、パネル部１６２０の温度情報に応じて補償された最大の電流値に対応する電圧レベルを有するＤＣ電圧に変換されたＥＬＶＤＤ電圧をパネル部１６２０に供給してよい。
【０２５４】
なお、電圧供給部１６４０は、ＥＬＶＳＳ電圧を供給することができる。
【０２５５】
ここで、電圧供給部１６４０は、ＰＦＣ部１６４１と、ＤＣ電源を供給するＤＣ／ＤＣコンバータ１６４２を含んで構成されてよい。
【０２５６】
具体的に、ＰＦＣ部１６４１は、入力された電圧の力率を補償してＤＣ／ＤＣコンバータ１６４２に出力してよい。
【０２５７】
ＤＣ／ＤＣコンバータ１６４２は、ＤＣ電圧を供給する。即ち、ＤＣ／ＤＣコンバータ１６４２はＰＦＣ部１６４１から出力された力率が補償された電圧を受けて、後述の制御部１６５０の制御に従って、有機電界発光装置に必要なＤＣ電圧に変換することができる。
【０２５８】
制御部１６５０は、有機電界発光表示装置１６００の動作全般を制御する機能を担う。具体的に、制御部１６５０は、インターフェース部１６１０と、パネル部１６２０と、センサ部１６３０と、電圧供給部１６４０と、データ駆動部１６６０および走査駆動部１６７０を制御してよい。
【０２５９】
なお、制御部１６５０は、インターフェース部１６１０を介して受信された映像フレームデータのＲ、Ｇ、Ｂ値を各々確認して最大の電流値を算出し、ＤＣ電圧を最大の電流値に対応する電圧レベルを有するＤＣ電圧に変換してパネル部１６２０に印加するように、電圧供給部１６４０を制御してよい。
【０２６０】
なお、制御部１６５０は、連続する二つの映像フレームのＲ、Ｇ、Ｂ値に対応する最大の電流値を各々算出し、各最大の電流値に対応する電圧レベルの間の差を算出し、電圧レベル間の変換作業にかかるビルドアップ時間を予測することができる。それにより、制御部１６５０は、二つの映像フレームのうち、後方映像フレームの出力タイミングを基準とし、ビルドアップ時間の前に前記変換作業を開始するようにＤＣ／ＤＣコンバータ１６４２を制御することができる。
【０２６１】
なお、制御部１６５０は、センサ部１６３０で検知されたパネル部１６２０の温度情報に応じて最大の電流値を補償し、ＤＣ電圧を補償された最大の電流値に対応する電圧レベルを有するＤＣ電圧に変換してパネル部１６２０に印加するように、電圧供給部１６４０を制御してよい。
【０２６２】
ここで、制御部１６５０は、ＰＷＭ（Ｐｕｌｓｅ  Ｗｉｄｔｈ  Ｍｏｄｕｌａｔｉｏｎ）またはＰＦＭ（Ｐｕｌｓｅ  Ｆｒｅｑｕｅｎｃｙ  Ｍｏｄｕｌａｔｉｏｎ）等のようなデジタル制御方式で用いて、ＤＣ／ＤＣコンバータ１６４２の出力ＤＣ電圧を変換することができる。
【０２６３】
なお、制御部１６５０は、温度情報に応じて補償された最大の電流値、補償された最大の電流値に対応する電圧レベルおよびビルドアップ時間を保存部１６８０に保存するように制御することができる。
【０２６４】
データ駆動部１６６０は、赤（Ｒｅｄ）、緑（Ｇｒｅｅｎ）および青（Ｂｌｕｅ）の成分をもつ映像信号（ＲＧＢ  Ｖｉｄｅｏ  Ｄａｔａ）を受けてデータ信号を生成する。ここで、データ駆動部１６６０は、パネル部１６２０を構成する複数の画素１６２１のデータ線（Ｄ１、Ｄ２、…、Ｄｍ−１、Ｄｍ）と接続されて生成されたデータ信号を複数の画素１６２１に提供する。
【０２６５】
走査駆動部１６７０は、走査信号を複数の画素部１６２１の特定行に提供する。ここで、走査駆動部１６７０は、パネル部１６２０を構成する複数の画素１６２１の走査線（Ｓ１、Ｓ２、…、Ｓｎ−１、Ｓｎ）と接続されて生成された走査信号を複数の画素１６２１に印加する。走査信号が伝達された画素にはデータ駆動部１６６０から出力されたデータ信号が伝達されて画素で駆動電流が生成されて有機発光ダイオードに流れるようになる。
【０２６６】
即ち、本発明の実施形態に係る有機電界発光表示装置１６００は、複数のフレームを処理してパネル部１６２０に表示することにおいて、各フレームデータを表示するためのパネル部１６２０に印加される駆動電圧がフレームデータの色相情報（ＲＧＢ分布図、色温分布図等）に基づいて、適応的に可変して供給されるように電圧供給部１６４０を制御する制御部１６５０を含んでよい。
【０２６７】
上述の本発明の実施形態に係る有機電界発光表示装置によると、データ電圧チャージング区間にＰＦＣ部をＯＦＦにするように制御することにより、データ電圧チャージング区間にＰＦＣ部で消耗される電力の分だけ得することができる。それにより、電力効率を向上させることができる。
【０２６８】
一方、上述の本発明の実施形態に係る有機限界発光表示装置１６００によると、映像フレームデータのＲ、Ｇ、Ｂ値を各々確認して最大の電流値を算出し、ＤＣ電圧を最大の電流値に対応する電圧レベルを有するＤＣ電圧に変換して供給することにより、電力効率を向上させることができる。
【０２６９】
なお、連続する各フレームに必要な電圧レベル間の変換作業にかかるビルドアップ時間を予測することにより、電力効率を向上させることができる。
【０２７０】
なお、ＯＬＥＤの温度上昇による影響を考慮することにより、電力効率を向上させ、正確な階調の表現が可能となってよい。
【０２７１】
図１７は、本発明の第３実施形態に係る電源供給方法を示すフローチャートである。  
図１７を参照すると、まず、映像フレームデータを受信する（Ｓ１７１０）。
【０２７２】
そして、映像フレームデータのＲ、Ｇ、Ｂ値を各々確認して最大の電流値を算出する（Ｓ１７２０）。なお、連続する二つの映像フレームのＲ、Ｇ、Ｂ値に対応する最大の電流値を各々算出し、各最大の電流値に対応する電圧レベルとの間の差を算出し、前記電圧レベル間の変換作業にかかるビルドアップ時間を予測することができる。
【０２７３】
そして、算出された電流値を用いて、電源供給装置の出力ＤＣ電圧を最大の電流値に対応する電圧レベルを有するＤＣ電圧に変換する（Ｓ１７３０）。ビルドアップ時間を予測した場合、二つの映像フレームのうち、後方映像フレームの出力タイミングを基準とし、ビルドアップ時間の前に変換を行うようにすることができる。なお、温度情報に応じて最大の電流値を補償した場合、出力ＤＣ電圧を補償された最大の電流値に対応する電圧レベルを有するＤＣ電圧への変換を行うことができる。
【０２７４】
そして、変換されたＤＣ電圧をパネル部に印加する（Ｓ１７４０）。
【０２７５】
一方、上述の本発明の多様な実施形態によると、映像フレームデータのＲ、Ｇ、Ｂ値を各々確認して最大の電流値を算出し、ＤＣ電圧を最大の電流値に対応する電圧レベルを有するＤＣ電圧に変換して供給することにより、電力効率を向上させることができる。
【０２７６】
なお、連続する各フレームに必要な電圧レベル間の変換作業にかかるビルドアップ時間を予測することにより、電力効率を向上させることができる。
【０２７７】
なお、ＯＬＥＤの温度上昇による影響を考慮することにより、電力効率を向上させ、正確な階調の表現が可能となってよい。
【０２７８】
＜第４目的を達成するための実施形態＞
図１８は、本発明の第４実施形態に係る有機電界発光表示装置を示すブロック図である。
【０２７９】
図１８を参照すると、有機電界発光表示装置１８００は、インターフェース部１８１０と、パネル部１８２０およびパネル駆動部１８３０を含む。
【０２８０】
ここで、有機電界発光表示装置１８００の駆動方式は、受動マトリクス（Ｐａｓｓｉｖｅ  Ｍａｔｒｉｘ）方式または能動マトリクス（Ａｃｔｉｖｅ  Ｍａｔｒｉｘ）方式であってよい。ただ、本発明の一実施形態に係る有機電界発光表示装置１８００は、能動マトリックス方式で駆動するものが望ましい。
【０２８１】
なお、有機電界発光表示装置１８００のＲＧＢ表示方法は、独立画素方式、色変換方式（ＣＣＭ）またはカラーフィルタ方式であってよい。ただ、本発明の一実施形態に係る有機電界発光表示装置１８００は、独立画素方式を用いることが望ましい。
【０２８２】
インターフェース部１８１０は、映像信号を受信する。即ち、インターフェース部１８１０は、赤（Ｒｅｄ）、緑（Ｇｒｅｅｎ）および青（Ｂｌｕｅ）の成分を有する映像信号を受信してよい。
【０２８３】
パネル部１８２０は、インターフェース部１８１０を介して受信された映像信号に対応する映像フレームを表示する。
【０２８４】
ここで、パネル部１８２０は、ＯＬＥＤを含む複数の画素で構成されてよい。ここで、各画素は行方向に配列されて走査信号を伝達する複数の走査線（Ｓ１、Ｓ２、…、Ｓｎ−１、Ｓｎ）と列方向に配列されてデータ信号を伝達する複数のデータ線（Ｄ１、Ｄ２、…、Ｄｍ−１、Ｄｍ）を含んで構成されてよい。なお、各画素は、ＥＬＶＤＤ電源とＥＬＶＳＳ電源をパネル駆動部１８３０から伝達されてよい。上述の走査線と、データ線と、ＥＬＶＤＤ電源およびＥＬＶＳＳ電圧の動作に応じて、ＯＬＥＤを含む複数の画素は電流の流れに対応して光を発光する。
【０２８５】
ここで、パネル部１８２０は、ＯＬＥＤ単位画素を複数備えて構成されてよい。
【０２８６】
ここで、有機電界発光表示装置１８００のＲＧＢ表示方法が独立画素方式である場合、前記パネル部は、Ｒｅｄ  ＯＬＥＤ、Ｇｒｅｅｎ  ＯＬＥＤ、Ｂｌｕｅ  ＯＬＥＤを含む複数の画素の順次の配列で構成されてよい。
【０２８７】
パネル駆動部１８３０は、複数の電源（Ｐｏｗｅｒ）のパネル部１８２０に同時に供給し、インターフェース部１８１０から受信された映像信号に対応する映像フレームを表示するようにパネル部１８２０を駆動する。
【０２８８】
具体的に、パネル駆動部１８３０は、各画素に含まれたＯＬＥＤのカラーに応じて異なる大きさのＥＬＶＤＤ電源をパネル部１８２０に供給してよい。即ち、パネル駆動部１８３０は、Ｒｅｄ  ＯＬＥＤを含む画素に対しては第１電源を供給し、Ｂｌｕｅ  ＯＬＥＤを含む画素に対しては第１電源より大きい第２電源を供給してよい。なお、前記パネル駆動部１８３０は、Ｇｒｅｅｎ  ＯＬＥＤを含む画素に対しては、前記第１電源および前記第２電源の間の電源を供給してよい。
【０２８９】
ここで、第１電源、第２電源および第３電源はＥＬＶＤＤ電源を意味する。
【０２９０】
通常、Ｒｅｄ  ＯＬＥＤを含む画素、Ｇｒｅｅｎ  ＯＬＥＤを含む画素およびＢｌｕｅ  ＯＬＥＤを含む画素が必要とするＥＬＶＤＤ電圧は、各々の階調レベルが異なってよいが、Ｂｌｕｅ  ＯＬＥＤを含む画素が最も高く、Ｒｅｄ  ＯＬＥＤを含む画素が最も低い。例えば、Ｂｌｕｅ  ＯＬＥＤを含む画素を含む画素は通常、１１Ｖくらいが必要であり、Ｇｒｅｅｎ  ＯＬＥＤを含む画素は通常、１０Ｖくらいが必要であり、Ｒｅｄ  ＯＬＥＤを含む画素は通常、７Ｖくらいが必要であるとして説明を進める。
【０２９１】
従来では、Ｒ／Ｇ／Ｂ  ＯＬＥＤを区分せずに、ＥＬＶＤＤを１２Ｖで提供してきた。それにより、Ｂｌｕｅ  ＯＬＥＤを含む画素（具体的に、駆動トランジスタ）は、通常１Ｖくらいの損失となり、Ｇｒｅｅｎ  ＯＬＥＤを含む画素は通常、２Ｖくらいの損失となり、Ｒｅｄ  ＯＬＥＤを含む画素は通常、５Ｖくらいの損失となるため、電力効率が下がるという問題点があった。通常、従来のパネル部の電力効率は８０％程度をもつ。
【０２９２】
それにより、パネル駆動部１８３０は、Ｒｅｄ  ＯＬＥＤを含む画素にはＥＬＶＤＤで８Ｖを提供し、Ｇｒｅｅｎ  ＯＬＥＤを含む画素にはＥＬＶＤＤで１１Ｖを提供し、Ｂｌｕｅ  ＯＬＥＤを含む画素にはＥＬＶＤＤで１２Ｖを提供することができる。このようにすることにより、パネル部１８２０の電力効率を向上させることができる。上述の方法を使用する場合、電力効率は９１％程度であってよい。
【０２９３】
なお、パネル駆動部１８３０は、ＥＬＶＤＤ電源を供給することができる。
【０２９４】
ここで、パネル駆動部１８３０は、電圧供給部（図示せず）と、データ駆動部（図示せず）、走査駆動部（図示せず）を含んでよい。それに対しては、図２０を参照して後述する。
【０２９５】
図１９は、本発明の第４実施形態の別の例に係る有機電界発光表示装置を示すブロック図である。
【０２９６】
図１９を参照すると、有機電界発光表示装置１９００は、インターフェース部１９１０と、パネル部１９２０と、パネル駆動部１９３０および制御部１９４０を含む。図１９を説明するうえで、図１８と重なる構成に対する具体的な説明は省略する。
【０２９７】
インターフェース部１９１０は、受信された映像信号を制御部１９４０に伝送することができる。ここで、受信された映像信号は、赤（Ｒｅｄ）、緑（Ｇｒｅｅｎ）および青（Ｂｌｕｅ）の成分を有する映像信号であってよい。
【０２９８】
パネル部１９２０は、インターフェース部１９１０を介して受信された映像信号に対応する映像フレームを表示する。
【０２９９】
パネル駆動部１９３０は、複数の電源（Ｐｏｗｅｒ）のパネル部１９２０に同時に供給し、インターフェース部１９１０から受信された映像信号に対応する映像フレームを表示するようにパネル部１９２０を駆動する。
【０３００】
制御部１９４０は、有機電界発光表示装置１９００の動作全般を制御する。具体的に、制御部１９４０は、インターフェース部１９１０と、パネル部１９２０と、パネル駆動部１９３０を制御してよい。
【０３０１】
なお、制御部１９４０は、複数の画素を領域別にグルーピングして複数の画素組に区分し、インターフェース部１９１０を介して受信された映像信号に応じて複数の画素組に異なる大きさの電源を選択的に供給するように、パネル駆動部１９３０を制御してよい。即ち、制御部１９４０は、映像信号の映像フレームを表示する各画素の階調値を検出し、階調値の大きさを基準として各画素組に供給される電源の大きさを決定し、決定された大きさの電源を各画素組に供給するように、パネル駆動部１９３０を制御してよい。
【０３０２】
即ち、制御部１９４０は、インターフェース部１９１０を介して受信された映像信号の映像フレームを分析してよい。それにより、制御部１９４０は、各画素組のＲｅｄ、Ｇｒｅｅｎ、Ｂｌｕｅの最大の階調値を検出することができ、検出されたＲｅｄ、Ｇｒｅｅｎ、Ｂｌｕｅの最大の階調値を用いてＲｅｄ  ＯＬＥＤ、Ｇｒｅｅｎ  ＯＬＥＤ、Ｂｌｕｅ  ＯＬＥＤに流すべき電流値を算出することができ、算出された電流量を用いて供給されるべきＥＬＶＤＤ電源を決定することができる。それにより、制御部１９４０は、各画素組への供給に決定された大きさの電源を供給するように、パネル駆動部１９３０を制御してよい。そうすることにより、パネル部１９２０の電力効率を向上させてよい。
【０３０３】
ここで、パネル駆動部１９３０は、電圧供給部（図示せず）と、データ駆動部（図示せず）、走査駆動部（図示せず）を含んでよい。それに対しては、図２０を参照して後述する。
【０３０４】
図２０は、図１８および図１９の有機電界発光表示装置を具体的に示すブロック図である。
【０３０５】
図２０を参照すると、有機電界発光表示装置２０００は、インターフェース部２０１０と、パネル部２０２０と、Ｒ／Ｇ／Ｂ画素２０２１と、電圧供給部２０３０と、制御部２０４０と、データ駆動部２０５０および走査駆動部２０６０を含む。なお、電圧供給部２０３０は、ＰＦＣ部２０３１と、ＤＣ／ＤＣコンバータ２０３２およびスイッチング部２０３３を含む。図２０を説明するうえで、図１８および図１９において説明した箇所と重なる箇所に対しては、具体的な説明を省略する。
【０３０６】
インターフェース部２０１０は、赤（Ｒｅｄ）、緑（Ｇｒｅｅｎ）および青（Ｂｌｕｅ）の成分を有する映像信号を受信し、受信された映像信号を制御部２０４０に伝送する。映像信号が受信されると、制御部２０４０は受信された映像信号をデータ駆動部２０５０に伝送する。
【０３０７】
パネル部２０２０は、インターフェース部２０１０を介して受信された映像信号に対応する映像フレームを表示する。ここで、パネル部２０２０を構成する複数の画素２０２１は行方向に配列されて走査信号を伝達する複数の走査線（Ｓ１、Ｓ２、…、Ｓｎ−１、Ｓｎ）と列方向に配列されてデータ信号を伝達する複数のデータ線（Ｄ１、Ｄ２、…、Ｄｍ−１、Ｄｍ）を含んで構成されてよい。なお、各画素は、ＥＬＶＤＤ電源とＥＬＶＳＳ電源を電圧供給部２０３０から伝達されてよい。
【０３０８】
電圧供給部２０３０は、パネル部２０２０を構成する複数の画素２０２１に電源を供給する。
【０３０９】
具体的に、電圧供給部２０３０は、各画素に含まれたＯＬＥＤのカラーに応じて異なる大きさのＥＬＶＤＤ電源をパネル部２０２０に供給してよい。即ち、電圧供給部２０３０は、Ｒｅｄ  ＯＬＥＤを含む画素に対しては第１電源を供給し、Ｂｌｕｅ  ＯＬＥＤを含む画素に対しては第１電源より大きい第２電源を供給してよい。なお、前記パネル駆動部２０３０は、Ｇｒｅｅｎ  ＯＬＥＤを含む画素に対しては、前記第１電源および前記第２電源の間の電源を供給してよい。
【０３１０】
なお、電圧供給部２０３０は、受信された映像信号に応じて複数の画素組に異なる大きさの電源を選択的に供給してよい。
【０３１１】
なお、電圧供給部２０３０は、ＥＬＶＳＳ電源を供給してよい。
【０３１２】
ここで、電圧供給部２０３０は、ＰＦＣ部２０３１、異なるＤＣ電源を供給するＤＣ／ＤＣコンバータ２０３２およびスイッチング部２０３３を含んで構成されてよい。
【０３１３】
具体的に、ＰＦＣ部２０３１は、入力された電源の力率を補償してＤＣ／ＤＣコンバータ２０３２に出力してよい。即ち、ＰＦＣ部２０３１は、整流部（図示せず）の次の段階に位置し、入力されたＡＣ電圧が整流部（図示せず）によって整流されてＤＣ電圧が生成されると、ＰＦＣ部２０３１は整流されたＤＣ電圧の力率を補償してＤＣ／ＤＣコンバータ２０３２に出力してよい。通常、有機電界発光表示装置２０００でＰＦＣ部の出力は２０００Ｖ程度であってよい。
【０３１４】
ここで、ＰＦＣ部２０３１は、電圧供給部２０３０の電力効率を向上させるために節電回路を追加したものとして、瞬間的なパワー漏れのおそれがあるトランス、安定器のような部品に供給される電力を調節する。即ち、ＰＦＣ部２０３１は、電力消費量を減少させ、電流が熱に切り替わって温度が上昇することを遮断することにより、電力効率を向上させることができる。通常、ＰＦＣ部の電力効率は９５％程度であってよい。
【０３１５】
ここで、ＰＦＣ部２０３１は、ブーストトポロジー（Ｂｏｏｓｔ  Ｔｏｐｏｌｏｇｙ）であってよい。
【０３１６】
ＤＣ／ＤＣコンバータ２０３２は、異なるＤＣ電源を供給する。即ち、ＤＣ／ＤＣコンバータ２０３２はＰＦＣ部２０３１から出力された力率が補償された電源を入力として受けて、有機電界発光表示装置２０００に必要な複数の電源にコンバートすることができる。通常、ＤＣ／ＤＣコンバータ２０３２の電力効率は９４％程度であってよい。
【０３１７】
ここで、ＤＣ／ＤＣコンバータ２０３２は、従来の周知のＤＣ／ＤＣコンバータ回路を使って構成されてよい。
【０３１８】
スイッチング部２０３３は、ＤＣ／ＤＣコンバータ２０３２の出力を選択することができる。具体的に、スイッチング部２０３３は制御部２０４０の制御に応じて、ＥＬＶＤＤ電源が供給されるように、ＤＣ／ＤＣコンバータ２０３２の出力をスイッチングしてよい。この場合、ＥＬＶＤＤ電源は各画素に流れる電流量に対応して決定されてよい。
【０３１９】
なお、スイッチング部２０３３は、ＥＬＶＳＳ電源が供給されるようにＤＣ／ＤＣコンバータ２０３２の出力をスイッチングしてよい。
【０３２０】
ここで、電圧供給部２０３０は、パネル部２０２０を構成する複数の画素にＥＬＶＤＤ電源およびＥＬＶＳＳ電源を供給するだけでなく、有機電界発光表示装置２０００を構成し、電源を必要とする構成（データ駆動部（図示せず）および走査駆動部（図示せず））にも駆動電源を供給することができる。
【０３２１】
制御部２０４０は、複数の電源をパネル部２０２０に供給するように電圧供給部２０３０を制御し、複数の画素を駆動させることができる。
【０３２２】
具体的に、制御部２０４０は、複数の画素を領域別にグルーピングして複数の画素組に区分し、インターフェース部２０１０を介して受信された映像信号に応じて複数の画素組に異なる大きさの電源を選択的に供給するように電圧供給部２０３０を制御してよい。即ち、制御部２０４０は、映像信号の映像フレームを表示する各画素の階調値を検出し、階調値を基準として各画素組に供給される電源の大きさを決定し、決定された大きさの電源を各画素組に供給するように電圧供給部２０３０を制御してよい。
【０３２３】
ここで、制御部２０４０は、スイッチング部２０３３のスイッチング動作を制御することにより、電圧供給部２０３０が供給する電源を選択してよい。
【０３２４】
データ駆動部２０５０は、赤（Ｒｅｄ）と、緑（Ｇｒｅｅｎ）および青（Ｂｌｕｅ）の成分を有する映像信号（ＲＧＢ  Ｖｉｄｅｏ  Ｄａｔａ）を受けてデータ信号を生成する。ここで、データ駆動部２０５０は、パネル部２０２０を構成する複数の画素２０２１のデータ線（Ｄ１、Ｄ２、…、Ｄｍ−１、Ｄｍ）と接続されて生成されたデータ信号を複数の画素２０２１に提供する。
【０３２５】
走査駆動部２０６０は、走査信号を複数の画素部２０２１の特定行に提供する。ここで、走査駆動部２０６０は、パネル部２０２０を構成する複数の画素２０２１の走査線（Ｓ１、Ｓ２、…、Ｓｎ−１、Ｓｎ）と接続されて生成された走査信号を複数の画素２０２１に印加する。走査信号が伝達された画素にはデータ駆動部２０５０から出力されたデータ信号が伝達されて画素で駆動電流が生成されて有機発光ダイオードに流れるようになる。
【０３２６】
上述の本発明の一実施形態に係る有機電界発光表示装置によると、電圧供給部を２段電力変換構造で構成し、受信された映像信号を分析し、画素別にまたは複数の画素が含まれたブロック別に供給される電源を制御することにより、全電力効率の６５．７％より顕著に向上された８１．２％程度であって、回路を小型化することができる。
【０３２７】
図２１は、本発明の第４実施形態に係る映像表方法を示すフローチャートである。
【０３２８】
図２１を参照すると、映像表示方法は映像信号を受信する（Ｓ２１１０）。
【０３２９】
そして、異なる大きさの複数の電源をパネル部に同時に供給する（Ｓ２１２０）。
【０３３０】
更に、パネル部上に映像信号に対応する映像フレームを表示する（Ｓ２１３０）。
【０３３１】
図２２は、図２１の映像表示方法を具体的に示すフローチャートである。
【０３３２】
図２２を参照すると、映像表示方法は、まず、映像信号を受信する（Ｓ２２１０）。
【０３３３】
そして、各画素に含まれたＯＬＥＤカラーに応じて電源を供給するかを判断する（Ｓ２２２０）。例えば、各画素に含まれたＯＬＥＤカラーに応じて電源を供給する場合（Ｓ２２２０：Ｙ）、Ｒｅｄ  ＯＬＥＤを含む画素に対しては第１電源を提供し、Ｂｌｕｅ  ＯＬＥＤを含む画素に対しては第１電源より大きい第２電源を供給し、Ｇｒｅｅｎ  ＯＬＥＤを含む画素に対しては第１電源および第２電源の間の電源を供給する（Ｓ２２３０）。
【０３３４】
一方で、画素別に電源を供給しない場合（Ｓ２２２０：Ｎ）、領域別にグルーピングされた複数の画素組別に電源を供給するかを判断する（Ｓ２２４０）。例えば、領域別にグルーピングされた複数の画素組別に電源を供給する場合（Ｓ２２４０：Ｙ）、映像信号の映像フレームを表示する各画素の階調値を検出し、階調値の大きさを基準として各画素組に供給される電源の大きさを決定する（Ｓ２２５０）。そして、決定された大きさの電源は各画素組に選択的に供給する（Ｓ２２６０）。一方、領域別にグルーピングされた複数の画素組別に電源を供給しない場合（Ｓ２２４０：Ｎ）、複数の画素に同一のＥＬＶＤＤ電源を供給する（Ｓ２２７０）。
【０３３５】
一方、上述の本発明の多様な実施形態によると、電圧供給部を２段電力変換構造で構成し、受信された映像信号を分析し、画素別にまたは複数の画素が含まれたブロック別に供給される電源を制御することにより、システムの全電力効率を向上させて、回路を小型化することができる。
【０３３６】
＜第５目的を達成するための実施形態＞
図２３Ａおよび図２３Ｂは、本発明の第５実施形態に係るコンテンツ提供システムの構成を示す模式図である。
【０３３７】
図２３Ａおよび図２３Ｂに示すように、本発明の第５実施形態に係るコンテンツ提供システムは、映像表示装置２３００とメガネ装置２４００とを含む。
【０３３８】
図２３Ａは、本発明の第５実施形態に係る複数の２Ｄコンテンツを提供する方法を説明するための図である。
【０３３９】
映像表示装置２３００は、複数の２Ｄコンテンツ（コンテンツＡ、Ｂ）を交互にディスプレイし、各コンテンツに対応するメガネ装置１、２（２４００−１、２４００−２）を同期化させる同期化信号を生成してメガネ装置１、２（２４００−１、２４００−２）に伝送する。
【０３４０】
この場合、メガネ装置１（２４００−１）は、同期化信号に応じて一つのコンテンツＡがディスプレイされる際、左側シャッタグラスおよび右側シャッタグラスのいずれもオープンさせ、他のコンテンツＢがディスプレイされる際、左側シャッタグラスおよび右側シャッタグラスのいずれもオフさせるように動作することができる。それにより、メガネ装置１（２４００−１）を着用した視聴者１（Ｖｉｅｗｅｒ  １）を交互にディスプレイされる複数のコンテンツＡ、Ｂのうち、メガネ装置１（２４００−１）と同期化された一つのコンテンツＡのみを視聴することができる。同様の方式で、メガネ装置２（２４００−２）を着用した視聴者２（Ｖｉｅｗｅｒ  ２）はコンテンツＢのみを視聴することができる。
【０３４１】
図２３Ｂは、本発明の第５実施形態により、複数の３Ｄコンテンツを提供する方法を説明するための図である。
【０３４２】
図示のように、複数の３Ｄコンテンツ（コンテンツＡ、Ｂ）が３Ｄコンテンツである場合、映像表示装置２３００は、複数の３Ｄコンテンツ（コンテンツＡ、Ｂ）を交互にディスプレイすると同時に、各３Ｄコンテンツの左眼映像および右眼映像も交互にディスプレイすることができる。
【０３４３】
例えば、３ＤコンテンツＡの左眼映像および右眼映像（ＡＬ、ＡＲ）をディスプレイし、３ＤコンテンツＢの左眼映像および右眼映像（ＢＬ、ＢＲ）を交互にディスプレイすることができる。この場合、メガネ装置１（２４００−１）は、３ＤコンテンツＡの左眼映像および右眼映像（ＡＬ、ＡＲ）のディスプレイ時点で左眼および右眼グラスをオープンさせ、メガネ装置２（２４００−２）は、３ＤコンテンツＢの左眼映像および右眼映像（ＢＬ、ＢＲ）のディスプレイ時点で左眼および右眼グラスをオープンさせることができる。
【０３４４】
それにより、メガネ装置１（２４００−１）を着用した視聴者１（Ｖｉｅｗｅｒ  １）は３ＤコンテンツＡのみを視聴し、メガネ装置２（２００−２）を着用した視聴者２（Ｖｉｅｗｅｒ  ２）は３ＤコンテンツＢのみを視聴する。
【０３４５】
ただ、それは、シャッタグラス方式を想定した場合に対する説明であり、偏光方式の場合には、複数のコンテンツ映像の各々の偏光方向とメガネ装置１、２の偏光方向が一致するように実現し、マルチビューモードをサポートすることができることは当業者にとって自明に認識できる。
【０３４６】
図２４Ａおよび図２４Ｂは、本発明の多様な実施形態に係る同期化信号伝送方法を説明するための図である。
【０３４７】
図２４Ａによると、映像表示装置２３００は、メガネ装置１（２４００−１）およびメガネ装置２（２４００−２）に対応する同期化信号をマルチプレキシング（Ｍｕｘｉｎｇ）した一つの信号をブロードキャスティングまたはマルチキャスティングすることができ、各メガネ装置２４００−１、２４００−２は、当該信号のうち、ユーザ命令（例えば、チャネル切り替え命令）に対応する同期信号に同期化されてシャッタグラスをオン／オフさせるように動作することができる。
【０３４８】
ただ、上述のような実施形態に過ぎず、図２４Ｂに示すように、映像表示装置２３００は、メガネ装置１（２４００−１）およびメガネ装置２（２４００−２）に対応する同期化信号を各々対応する各メガネ装置２４００−１、２４００−２にユニキャストし、当該メガネ装置２４００−１、２４００−２が当該同期化信号を受信する形態も実現することができる。
【０３４９】
一方、同期化信号は、ＲＦ（Ｒａｄｉｏ  Ｆｒｅｑｕｅｎｃｙ）信号の形態またはＩＲ（Ｉｎｆｒａ  Ｒｅｄ）信号の形態で実現でき、それに対する詳細な説明は後述する。
【０３５０】
図２５Ａおよび図２５Ｂは、本発明の多様な実施形態に係る映像表示装置の構成を説明するためのブロック図である。
【０３５１】
図２５Ａおよび図２５Ｂの映像表示装置２３００は、テレビや携帯電話、ＰＤＡ、ノートパソコン、モニタ、タブレットパソコン、電子書籍、デジタルフォトフレーム、コンピュータ・キヨスク等のように、ディスプレイユニットを備えた多様な装置で実現されてよい。
【０３５２】
図２５Ａは、本発明の多様な実施形態に係る映像表示装置の構成を説明するためのブロック図である。
【０３５３】
図２５Ａによると、映像表示装置２３００は、複数の受信部２３１０−１、２３１０−２、…、２３１０−ｎ、複数の映像処理部２３２０−１、２３２０−２、…、２３２０−ｎ、ＭＵＸ部２３３０と、ディスプレイ部２３４０と、同期化信号生成部２３５０と、インターフェース部２３６０および制御部２３７０を含む。
【０３５４】
複数の受信部２３１０−１、２３１０−２、…、２３１０−ｎは、異なるコンテンツの各々を受信する。具体的に、各受信部２３１０−１、２３１０−２、…、２３１０−ｎは、放送ネットワークを用いて放送番組コンテンツを伝送する放送局またはインターネットを用いてコンテンツファイルを伝送するウェブサーバからコンテンツを受信する。なお、映像表示装置２３００内に設けられたり、映像表示装置２３００に接続された各種記録媒体再生装置からコンテンツを受信することもできる。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【０３５５】
放送局からコンテンツを受信する実施形態に場合には、複数の受信部２３１０−１、２３１０−２、…、２３１０−ｎは、チューナ（図示せず）と、復調器（図示せず）、等化器（図示せず）等のような構成を含む形態で実現可能である。一方、ウェブサーバのようなソースからコンテンツを受信する実施形態の場合には、複数の受信部２３１０−１、２３１０−２、…、２３１０−ｎは、ネットワークインターフェースカード（図示せず）で実現可能である。または、上述の各種記録媒体再生装置からコンテンツを受信する実施形態の場合には、複数の受信部２３１０−１、２３１０−２、…、２３１０−ｎは、記載媒体再生装置と接続されたインターフェース部（図示せず）で実現されてよい。例えば、ＡＶ端子やＣＯＭＰ端子、ＨＤＭＩ端子等で実現可能である。
【０３５６】
このように、複数の受信部２３１０−１、２３１０−２、…、２３１０−ｎは、実施形態によって多様な形態で実現可能である。
【０３５７】
なお、複数の受信部２３１０−１、２３１０−２、…、２３１０−ｎは、必ずしも同様の類型のソースからコンテンツを受信する必要はなく、複数の受信部２３１０−１、２３１０−２、…、２３１０−ｎは異なる類型のソースからコンテンツを受信することもできる。例えば、受信部１（２３１０−１）は、チューナや復調器、等化器等を含む形態で実現され、受信部２（２３１０−２）は、ネットワークインターフェースカードで実現されてよい。
【０３５８】
複数の映像処理部２３２０−１、２３２０−２、…、２３２０−ｎは、複数の受信部２３１０−１、２３１０−２、…、２３１０−ｎから受信されたコンテンツの各々に対して多様な映像処理を行ってよい。
【０３５９】
特に、複数の映像処理部２３２０−１、２３２０−２、…、２３２０−ｎは、受信された各々を映像フレーム形態で処理し、フレーム形態に処理された複数のコンテンツの各々に対する輝度調整処理を行うことができる。
【０３６０】
具体的に、複数の映像処理部２３２０−１、２３２０−２、…、２３２０−ｎは、複数のコンテンツの映像フレームの各々の輝度情報を検出し、輝度情報の大きさに対応する大きさの輝度調整ゲイン（Ｇａｉｎ）を用いて、複数のコンテンツの各々の映像フレームの輝度を調整してよい。
【０３６１】
ＭＵＸ部２３３０は、第１コンテンツの映像フレーム、第２コンテンツの映像フレーム、…、第ｎコンテンツの映像フレームが少なくとも一つずつ交互に配置されるように、映像フレームをマルチプレキシングして出力することができる。
【０３６２】
ディスプレイ部２３４０は、ＭＵＸ部２３３０から出力されるデータに応じて複数のコンテンツをディスプレイする。それにより、ディスプレイ部２３４０では、各コンテンツの映像フレームが少なくとも一つずつ交互に配置される形態でディスプレイされてよい。
【０３６３】
ここで、ディスプレイ部２３４０は、自発光ディスプレイであるＯＬＥＤ（Ｏｒｇａｎｉｃ  Ｌｉｇｈｔ  Ｅｍｉｔｔｉｎｇ  Ｄｉｏｄｅｓ）ディスプレイで実現されてよい。ただ、ＢＬＵを使用するＬＣＤディスプレイにも、本発明が適用可能な範囲内で適用可能であってよい。
【０３６４】
一方、図２５Ａには図示していないが、映像表示装置２３００は、マルチビューモードで動作する際、各コンテンツに含まれたオーディオデータを各ユーザ別に異なるように提供する構成を更に含む。即ち、各受信部２３１０−１、２３１０−２、…、２３１０−ｎから受信されたコンテンツからビデオデータおよびオーディオデータを分離するためのマルチプレクサ（図示せず）、分離されたオーディオデータをデコードするオーディオデコーダ（図示せず）、デコードされた各オーディオデータを異なる周波数信号に変調する変調部（図示せず）、変調された各オーディオデータをメガネ装置に伝送する出力部（図示せず）等を更に含んでよい。出力部（図示せず）から出力された各オーディオデータは、メガネ装置に備えられたイヤホンのような出力手段を通じてユーザに提供される。このような構成は、本発明と直接的な関連性がないため、別途の図示は省略する。
【０３６５】
一方、場合によって、コンテンツにＥＰＧ（Ｅｌｅｃｔｒｉｃ  Ｐｒｏｇｒａｍ  Ｇｕｉｄｅ）および字幕のような付加情報が含まれた場合、デマルチプレクサはコンテンツから付加データを更に分離することもできる。そして、映像表示装置２３００は、付加データ処理部（図示せず）を介して表示可能に処理された字幕等を対応する映像フレームに付加することもできる。
【０３６６】
同期化信号生成部２３５０は、各コンテンツのディスプレイタイミングに応じて、各コンテンツに対応するメガネ装置を同期化させる同期化信号を生成する。即ち、同期化信号生成部２３５０は、マルチビューモードでコンテンツに対する映像フレームのディスプレイタイミングでメガネ装置を同期化させるための同期化信号を生成する。
【０３６７】
インターフェース部２３６０は、同期化信号をメガネ装置に伝送する。この場合、インターフェース部２３６０は、多様な方式で同期化信号をメガネ装置に伝送する。
【０３６８】
例えば、インターフェース部２３６０は、ＲＦ通信モジュールを備えてメガネ装置との通信を行うことができる。ここで、ＲＦ通信モジュールは、ブルートゥース通信モジュールで実現可能である。それにより、インターフェース部２３６０は、同期化信号が含まれるように、ブルートゥース通信規格による伝送ストリームを生成してメガネ装置に伝送することができる。
【０３６９】
即ち、伝送ストリームは、各コンテンツのディスプレイタイミングで同期化されてメガネ装置のシャッタグラスをオン／オフさせるための時間情報を含む。具体的に、伝送ストリームは、各コンテンツ毎に設定された基準時間からメガネ装置の左眼シャッタグラスをオンさせるオフセット（Ｏｆｆｓｅｔ）時間、左眼シャッタグラスをオフさせるオフセット時間、右眼シャッタグラスをオンさせるオフセット時間、右眼シャッタグラスをオフさせるオフセット時間に対する情報を含むことができる。ここで、基準時点とは、各コンテンツの映像フレームで垂直同期信号が発生される時点として、垂直同期信号が発生される時点に対する時間情報も伝送ストリームに併せて含まれてよい。
【０３７０】
ブルートゥース通信方式により通信を行うために、インターフェース部２３６０は、各メガネ装置とペアリングを行う。ペアリングが完了すると、インターフェース２３６０には各メガネ装置に対する情報、例えば、装置ＩＤ（または、アドレス）等が登録されてよい。インターフェース部２３６０は、各コンテンツのディスプレイタイミングとメガネ装置に対する情報とをマッチさせて、ブルートゥース通信規格による一つの伝送ストリームを生成する。例えば、インターフェース部２３６０はコンテンツの映像フレームが配列された順番により、各コンテンツ毎に異なるメガネ装置に対する情報をマッチさせることができる。即ち、マルチビューモードで、２つのコンテンツが交互に提供される場合、一番目、三番目、…、ｎ番目に配置されたコンテンツの映像フレームは、第１メガネ装置に対する情報をマッチさせ、二番目、四番目、…、ｎ＋１番目に配置されたコンテンツの映像フレームは、第２メガネ装置に対する情報をマッチさせることができる（ここで、ｎとは奇数）。メガネ装置は、同期化信号が受信されると、自らのメガネ装置情報に対応するディスプレイタイミングを確認し、確認されたディスプレイタイミングに応じてシャッタグラスをオンまたはオフさせることができる。
【０３７１】
上述の実施形態においては、インターフェース部２３６０とメガネ装置がブルートゥース通信方式により通信を行うものとして説明したが、それは、一例に過ぎない。即ち、ブルートゥース方式以外に赤外線通信、Ｚｉｇｂｅｅ（登録商標）等の通信方式を利用することができ、その他の近距離から通信チャネルを形成して信号を送受信することができる多様な無線通信方式により通信行うことができる。
【０３７２】
一方、インターフェース部２３６０は、異なる周波数をもつＩＲ（Ｉｎｆｒａ  Ｒｅｄ）同期化信号をメガネ装置に提供することができる。この場合、メガネ装置は、特定周波数を有する同期化信号を受信し、対応するコンテンツのディスプレイタイミングに応じてシャッタグラスをオンまたはオフさせることができる。
【０３７３】
この場合、インターフェース部２３６０は、同期化情報に基づいて予め設定された時間間隔で第１周期の間のハイレベルと第２周期の間のローレベルが交互に繰り返される赤外線信号をメガネ装置に伝送することができる。メガネ装置は、ハイレベルである第１周期の間にシャッタグラスをオンさせ、ローレベルである第２周期の間にシャッタグラスをオフさせるように実現することができる。その他にも、同期化信号は多様な方式で生成することもできる。
【０３７４】
制御部２３７０は、映像表示装置２３００の動作全般を制御する。具体的に、制御部２３７０は、複数の受信部２３１０−１、２３１０−２、…、２３１０−ｎ、複数の映像処理部２３２０−１、２３２０−２、…、２３２０−ｎ、ＭＵＸ部２３３０、ディスプレイ部２３４０と、同期化信号生成部２３５０およびインターフェース部２３６０の各々を制御し、対応する動作を行うように各構成を制御することができる。一方、映像表示装置２３００の各構成が行う動作に対しては、上述と同様であるため、繰り返し説明は省略する。
【０３７５】
図２５Ｂは、本発明の多様な実施形態に係る映像表示装置の構成を説明するためのブロック図である。
【０３７６】
図２５Ｂによると、映像表示装置２３００は、複数の受信部２３１０−１、２３１０−２、…、２３１０−ｎ、複数の映像処理部２３２０−１、２３２０−２、…、２３２０−ｎ、ＭＵＸ部２３３０と、ディスプレイ部２３４０と、同期化信号生成部２３５０と、インターフェース部２３６０と、制御部２３７０と、複数の信号処理部２３８０−１、２３８０−２、…、２３８０−ｎと、データ組合部２３９０およびデータ分離部２３９５を含む。図２５Ｂに示す構成要素のうち、図２５Ａに示す構成要素と重なる箇所に対しては、詳細な説明を省略する。
【０３７７】
即ち、図２５Ｂに示す映像表示装置２３００では、受信された複数のコンテンツの各々の映像フレーム形態で処理する複数の信号処理部２３８０−１、２３８０−２、…、２３８０−ｎとフレーム形態で処理された複数のコンテンツの各々に対する輝度調整処理を行う複数の映像処理部２３２０−１、２３２０−２、…、２３２０−ｎが別個の構成要素で実現されてよい。
【０３７８】
この場合、複数の信号処理部２３８０−１、２３８０−２、…、２３８０−ｎにおいて、フレーム形態で処理された複数のコンテンツの各々は、データ組合部２３９０で組み合わせられてよい。
【０３７９】
データ組合部２３９０は、図２５ＡのＭＵＸ部２３３０と同様に、第１コンテンツの映像フレーム、第２コンテンツの映像フレーム、…、第ｎコンテンツの映像フレームが少なくとも一つずつ交互に配置されるように、映像フレームをマルチプレキシングして出力することができる。
【０３８０】
データ分離部２３９５は、データ組合部２３９０で映像フレーム単位で組み合わせられた複数のコンテンツを受信して、各コンテンツの映像フレームを分離し、分離された各映像フレームを複数の映像処理部２３２０−１、２３２０−２、…、２３２０−ｎに提供する。
【０３８１】
具体的に、データ分離部２３９５は、各映像フレームに含まれたＩＤおよび各映像フレームの入力順のうち、少なくとも一つに基づいて各映像フレームをコンテンツ別に分離してよい。
【０３８２】
複数の映像処理部２３２０−１、２３２０−２、…、２３２０−ｎは、複数のコンテンツの映像フレームの各々の輝度情報を検出し、輝度情報の大きさに対応する大きさの輝度調整ゲインを用いて複数のコンテンツの各々の映像フレームの輝度を調整することができる。
【０３８３】
上述の図２５Ｂに係る実施形態は、各コンテンツの映像フレームをマルチプレキシングして出力する従来の映像表示装置（図示せず）との互換性のための実施形態でえあってよい。
【０３８４】
図２６は、本発明の第５実施形態に係る映像処理部の具体的な構成を説明するためのブロック図である。
【０３８５】
図２６によると、複数の映像処理部２３２０−１、２３２０−２、…、２３２０−ｎの各々は、検出部２３２１−１、２３２１−２、…、２３２１−ｎ、算出部２３２２−１、２３２２−２、…、２３２２−ｎおよび変換部２３２３−１、２３２３−２、…、２３２３−ｎを含む。
【０３８６】
検出部１（２３２１−１）は、コンテンツ１の映像フレームの輝度情報を検出する。
【０３８７】
具体的に、検出部１（２３２１−１）は入力されたコンテンツ１の映像フレームの映像代表値、即ち、ｍｅａｎ値を検出する。
【０３８８】
算出部１（２３２２−１）は、検出部１（２３２１−１）から検出されたコンテンツ１の映像フレームの輝度情報に対応する大きさの輝度調整ゲインを算出する。
【０３８９】
具体的に、算出部１（２３２２−１）は、検出部１（２３２１−１）から検出されたｍｅａｎ値に適用されるＡＢＬゲインを算出する。
【０３９０】
例えば、映像フレームのｍｅａｎ値が２５５である場合、ｇａｉｎ値の０．５を算出し、ｍｅａｎ値が５０である場合、ｇａｉｎ値の１を算出することができる。ここで、ｇａｉｎ値は予め設定されたマッピング値に応じて設定可能である。
【０３９１】
ここで、ＡＢＬ（Ａｄａｐｔｉｖｅ  Ｂｒｉｇｈｔｎｅｓｓ  Ｌｉｍｉｔｅｒ）は明るい画面では、全画面のピクセルレベルを下げ、暗い画面では、全画面のピクセルレベルを保持して最大の電力消耗を低減する映像レベル自動調整手法の一つである。ここで、ＡＢＬを例に挙げて説明してきたが、ＡＰＣ（Ａｄａｐｔｉｖｅ  Ｐｉｃｔｕｒｅ  ｌｅｖｅｒ  Ｃｏｎｔｒｏｌ）の場合にも同様の方式が適用されてよい。
【０３９２】
変換部１（２３２３−１）は、検出部１（２３２１−１）から算出された輝度調整ゲインに応じて当該映像フレームの輝度を調整する。そのために、変換部１（２３２３−１）は、検出部１（２３２１−１）に入力されるコンテンツ１の映像フレームが入力されてよい。
【０３９３】
具体的に、変換部１（２３２３−１）はコンテンツ１の映像フレームに算出部１（２３２２−１）から算出された輝度調整ゲインを掛け算して当該映像フレームの輝度を調整することができる。例えば、映像フレームのｍｅａｎ値が２５５である場合、ｇａｉｎ値の０．５を掛け算して１２７とし、ｍｅａｎ値が５０である場合のような暗い画面では、ｇａｉｎ値の１を掛け算して元の階調を保持するようにすることができる。
【０３９４】
一方、本発明の別の実施形態によると、映像処理部１（２３２０−１）は、以前の映像フレームの代表値を算出し、算出された代表値に対応するｇａｉｎ値を算出し、現在の映像フレームの輝度調整に利用することができる。例えば、現在の映像フレームのうち、入力された映像ピクセルに対するｇａｉｎ値を算出し、以前の映像フレームに対して算出されたｇａｉｎ値を平均して現在の映像フレームのｇａｉｎ値を算出することができる。
【０３９５】
一方、検出部２ないしｎ（２３２１−２、…、２３２１−ｎ）と、算出部２ないしん（２３２２−２、…、２３２２−ｎ）および変換部２ないしｎ（２３２３−２、…、２３２３−ｎ）も各々対応するコンテンツ２ないしｎの映像フレームに対して同一の動作を行ってよい。
【０３９６】
上述のような方式で輝度が調整された複数のコンテンツの映像フレームの各々は、ＭＵＸ部２３３０に入力されてよい。ＭＵＸ部２３３０以下の動作は、上述で詳細に説明しているため、省略する。
【０３９７】
一方、図示していないが、複数の映像処理部２３２０−１、２３２０−２、…、２３２０−ｎは、ビデオ処理部（図示せず）およびフレームレート変換部（図示せず）を含んでよい。
【０３９８】
ビデオ処理部（図示せず）は、受信されたコンテンツに含まれたビデオデータに対する信号処理を行う。具体的に、ビデオ処理部（図示せず）は、ビデオデータに対するデコードを行うデコーダ（図示せず）、ディスプレイ部２３４０の画面サイズに合わせてアップまたはダウンダウンスケーリングを行うスケーラ（図示せず）を含んでよい。
【０３９９】
その他に、ビデオ処理部（図示せず）は、フレームレート変換部（図示せず）に対応するデータフォーマットでビデオデータを変換することもできる。例えば、各コンテンツの映像フレームを横方向に並んで接続されるサイドバイサイドフォーマットに変換することができる。
【０４００】
フレームレート変換部（図示せず）は、ビデオ処理部（図示せず）から提供されるコンテンツのフレームレートを映像表示装置２３００の出力レートを参照してマルチコンテンツディスプレイレートに合わせて変換する。具体的に、映像表示装置２３００が、６０Ｈｚで動作する場合なら、フレームレート変換部（図示せず）は各コンテンツのフレームレートをｎ×６０Ｈｚに変換することができる。
【０４０１】
図２７は、本発明の第５実施形態に係るメガネ装置の構成を示すブロック図である。
【０４０２】
特に、図２７のメガネ装置２４００は、複数のコンテンツを映像フレーム単位で交互にディスプレイする映像表示装置（図２５Ａおよび図２５Ｂの２３００）と連動して、インターフェース部２４１０と、制御部２４２０と、シャッタグラス駆動部２４３０と、入力部２４４０と、第１シャッタグラス部２４５０および第２シャッタグラス部２４６０を含む。
【０４０３】
インターフェース部２４１０は、映像表示装置から同期化信号を受信する。
【０４０４】
例えば、インターフェース２４１０がブルートゥース通信モジュールで実現される場合、映像表示装置２３００とブルートゥース通信規格による通信を行い、同期化信号が含まれた伝送ストリームを受信することができる。この場合、伝送ストリームは、各コンテンツのディスプレイタイミングで同期化されてメガネ装置２４００の第１シャッタグラス部２４５０および第２シャッタグラス部２４６０をオンまたはオフさせるための時間情報を含み、メガネ装置２４００は自らのメガネ装置に対応するディスプレイタイミングに応じてシャッタグラスをオンまたはオフさせることができる。
【０４０５】
一方で、インターフェース２４１０は、ＩＲ受信モジュールで実現されて特定周波数を有する赤外線形態の同期化信号を受信することができる。この場合には、複数のコンテンツの何れか一つのコンテンツのディスプレイタイミングで同期化されるようにメガネ装置２４００の第１シャッタグラス部２４５０および第２シャッタグラス部２４６０をオンまたはオフさせるための時間情報を含む。
【０４０６】
一方、インターフェース部２４１０は、映像表示装置２３００から各コンテンツに対する映像フレームレート、映像フレーム周期に対する情報を受信することもできる。
【０４０７】
制御部２４２０は、メガネ装置２４００の動作全般を制御する。特に、制御部２４２０は、インターフェース部２４１０から受信された同期化信号に基づいてシャッタグラス駆動部２４３０の動作を制御する。即ち、制御部２４２０は、インターフェース部２４１０から受信された同期化信号に基づいて、第１シャッタグラス部２４５０および第２シャッタグラス部２４６０がオン／オフされるようにシャッタグラス駆動部２４３０を制御する。
【０４０８】
シャッタグラス駆動部２４３０は、制御部２４２０の制御に従って、映像表示装置２３００からディスプレイされる複数のコンテンツの何れか一つのコンテンツのディスプレイタイミングに応じて第１シャッタグラス部２４５０および第２シャッタグラス部２４６０をオープンさせることができる。
【０４０９】
第１シャッタグラス部２４５０および第２シャッタグラス部２４６０は、シャッタグラス駆動部２４３０から受信された駆動信号に応じてオン／オフされてよい。具体的に、第１シャッタグラス部２４５０および第２シャッタグラス部２４６０は、複数のコンテンツの何れか一つのコンテンツがディスプレイされる時にオープンされ、他のコンテンツがディスプレイされると同時にオフされてよい。それにより、メガネ装置２４００を着用したユーザは一つのコンテンツを視聴することができる。
【０４１０】
一方、３Ｄコンテンツの場合、第１シャッタグラス部２４５０および第２シャッタグラス部２４６０は、交互に開閉されてよい。即ち、駆動信号によって一つの３Ｄコンテンツを構成する左眼映像がディスプレイされるタイミングで第１シャッタグラス部２４５０が開放され、右眼映像がディスプレイされるタイミングで第２シャッタグラス部２４６０が開放される。
【０４１１】
入力部２４４０には、多様なユーザ命令が入力されてよい。
【０４１２】
具体的に、入力部２４４０には、映像表示装置２３００とのペアリング実行のためのペアリング命令、コンテンツビュー切替命令、プライベートまたはパブリックモード設定のためのモード設定命令、３Ｄモードまたはデュアルビューモード設定命令などを受信してよい。
【０４１３】
例えば、入力部２４００は、タッチセンサや操作ボタン、スライドスイッチのうち、少なくともいずれか一つの形態で実現可能である。
【０４１４】
制御部２４２０は、コンテンツビュー切替命令が入力されると、映像表示装置２３００から受信された同期化信号に応じて、第１シャッタグラス部２４５０および第２シャッタグラス部２４６０が順次にオン／オフされるようにシャッタグラス駆動部２４３０を制御してよい。
【０４１５】
なお、制御部２４２０は、プライベートモードまたはパブリックモードが選択されると、当該モードによるユーザ命令を映像表示装置２３００に伝送するように制御してよい。
【０４１６】
図２８Ａおよび図２８Ｂは、本発明に係る輝度調整効果を従来に比べて比較説明するための図である。
【０４１７】
図２８Ａおよび図２８Ｂでは、Ｖｉｅｗｅｒ  １およびＶｉｅｗｅｒ  ２が互いに輝度差が大きいコンテンツ映像を視聴する場合を例えて説明する。
【０４１８】
図２８Ａは、従来の輝度調整効果を説明するための図である。
【０４１９】
図示のように、Ｖｉｅｗｅｒ  １が視聴するコンテンツ映像は低い輝度を有するコンテンツ映像として高いゲインを適用され、Ｖｉｅｗｅｒ  ２が視聴するコンテンツ映像は高い輝度を有するコンテンツ映像として低いゲインを適用されるべきであるが、上述のＡＢＬ（またはＡＰＣ）手法のＴｅｍｐｏｒａｌ  Ｆｉｌｔｅｒの影響により、ゲインがターゲット値までに到達してないため、正常な輝度表示ができず、ＳＭＰＳ（Ｓｗｉｃｈ  Ｍｏｄｅ  Ｐｏｗｅｒ  Ｓｕｐｐｌｙ）  Ｌｏａｄも大きくかかるという問題があった。具体的に、Ｖｉｅｗｅｒ  ２が視聴するコンテンツ映像はゲインがターゲット値まで落ちることができず、Ｖｉｅｗｅｒ  １が視聴するコンテンツ映像はゲインがターゲット値までに上がることができなくなる。
【０４２０】
なお、場合によって、ＡＢＬ（またはＡＰＣ）手法が適用されず、Ｔａｒｇｅｔ  Ｃｕｒｖｅのように動作する場合にも、スイッチング駆動電圧が毎映像フレーム別に大幅の変動をもつため、フリッカ（Ｆｌｉｃｋｅｒ）現象のような画質実現上の問題が生じかねる。
【０４２１】
図２８Ｂは、本発明に係る輝度調整効果を説明するための図である。
【０４２２】
図示のように、本発明によって、各コンテンツ別にＡＢＬ（またはＡＰＣ）手法を適用する場合、ＡＢＬゲインが正常範囲で計算されてよい。
【０４２３】
具体的に、Ｖｉｅｗｅｒ  １が視聴するコンテンツ映像のＴａｒｇｅｔ  ＡＢＬ  Ｇａｉｎを接続する形態でＶｉｅｗｅｒ  １のＴａｒｇｅｔ  ＡＢＬ  Ｃｕｒｖｅが形成され、Ｖｉｅｗｅｒ  ２が視聴するコンテンツ映像のＴａｒｇｅｔ  ＡＢＬ  Ｇａｉｎを接続する形態でＴａｒｇｅｔ  ＡＢＬ  Ｃｕｒｖｅが形成されるようになる。それにより、正常な画質と輝度の実現が容易になる。
【０４２４】
図２９は、本発明の第５実施形態に係るコンテンツ輝度調整方法を示すフローチャートである。
【０４２５】
図２９に示す映像表示装置のコンテンツ輝度調整方法によると、複数のコンテンツの映像フレームの各々の輝度情報に対応する輝度調整ゲインを用いて前記複数のコンテンツの各々の映像フレームの輝度を調整する（Ｓ２９１０）。
【０４２６】
続いて、ステップＳ２９１０で調整された輝度を有する各映像フレームをマキシングする（Ｓ２９２０）。
【０４２７】
その後、ステップＳ２９２０においてマキシングされた映像フレームをディスプレイする（Ｓ２９３０）。
【０４２８】
なお、ステップＳ２９１０の前に映像フレーム単位で組み合わせられた前記複数のコンテンツを受けて各コンテンツの映像フレームを分離するステップをさらに含んでよい。
【０４２９】
ここで、輝度を調整するステップＳ２９１０は、コンテンツの映像フレームの輝度情報を検出するステップと、検出された輝度情報に対応する大きさの輝度調整ゲインを算出するステップおよび算出された輝度調整ゲインに応じて映像フレームの輝度を調整するステップを更に含んでよい。
【０４３０】
なお、輝度を調整するステップＳ２９１０は、ＡＢＬ（Ａｄａｐｔｉｖｅ  Ｂｒｉｇｈｔｎｅｓｓ  Ｌｉｍｉｔｅｒ）およびＡＰＣ（Ａｄａｐｔｉｖｅ  Ｐｉｃｔｕｒｅ  ｌｅｖｅｒ  Ｃｏｎｔｒｏｌ）のうち、少なくとも何れか一つに応じて、複数のコンテンツの各々の映像フレームの輝度を調整してよい。
【０４３１】
なお、映像フレームをディスプレイするステップＳ２９３０は、複数の自発光（Ｓｅｌｆ  Ｌｉｇｈｔ  Ｅｍｉｔｔｉｎｇ）ディスプレイ素子を用いてディスプレイすることができる。ここで、自発光素子はＯＬＥＤ素子で実現可能である。
【０４３２】
それは、各実施形態に対しては、上述しているため繰り返し説明および図示は省略する。
【０４３３】
一方、上述の本発明の多様な実施形態に係る方法を行うためのプログラムは多様な類型の記録媒体に保存されて使用されてよい。
【０４３４】
具体的には、上述の電源提供方法を行なうためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【０４３５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０４３６】
１１０  ＯＬＥＤパネル部
１２０  映像信号提供部
１３０  放送受信部
１３５  信号分離部
１４０  Ａ／Ｖ処理部
１４５  オーディオ出力部
１５０  保存部
１５５  通信インターフェース部
１６０  操作部
１７０  制御部
２００  電圧供給部
２２０  整流部
２３０  スイッチング部
２４０  変圧部
２５０  入力部
２６０  電源制御部
２７０  ＤＣ／ＤＣコンバータ
１０００  インターフェース部
１０１０  制御部
１０２０  画素値変換部
１０３０＿１  走査駆動部
１０３０＿２  データ駆動部
１０３０＿３  発光制御部
１０５０  電源電圧生成部
１４１０  受信部
１４２０  保存部
１４３１  ＰＦＣ部
１４３２  ＤＣ／ＤＣコンバータ
１４４０  制御部
１６１０  インターフェース部
１６３０  センサ部
１６４１  ＰＦＣ部
１６４２  ＤＣ／ＤＣコンバータ
１６５０  制御部
１６６０  データ駆動部
１６７０  走査駆動部
１６８０  保存部
１８１０  インターフェース部
１８２０  パネル部
１８３０  パネル駆動部
１９１０  インターフェース部
１９２０  パネル部
１９３０  パネル駆動部
１９４０  制御部
２０１０  インターフェース部
２０３１  ＰＦＣ部
２０３２  ＤＣ／ＤＣコンバータ
２０３３  スイッチング部
２０４０  制御部
２０５０  データ駆動部
２０６０  走査駆動部
２３１０−１  受信部１
２３１０−２  受信部２
２３１０−ｎ  受信部ｎ
２３２０−１  映像処理部１
２３２０−２  映像処理部２
２３２０−ｎ  映像処理部ｎ
２３３０  ＭＵＸ部
２３４０  ディスプレイ部
２３５０  同期化信号生成部
２３６０  インターフェース部
２３７０  制御部
２３１０−１  受信部１
２３１０−２  受信部２
２３１０−ｎ  受信部ｎ
２３８０−１  信号処理部１
２３８０−２  信号処理部２
２３８０−ｎ  信号処理部ｎ
２３９０  信号組合部
２３９５  データ分離部
２３２０−１  映像処理部１
２３２０−２  映像処理部２
２３２０−ｎ  映像処理部ｎ
２３３０  ＭＵＸ部
２３４０  ディスプレイ部
２３５０  同期化信号生成部
２３６０  インターフェース部
２３７０  制御部
２３２１−１  検出部
２３２１−２  検出部
２３２２−１  算出部
２３２２−２  算出部
２３２３−１  変換部
２３２３−２  変換部
２３３０  ＭＵＸ部
２３２１−ｎ  検出部
２３２２−ｎ  算出部
２３２３−ｎ  変換部
２４１０  インターフェース部
２４２０  制御部
２４３０  シャッタグラス駆動部
２４４０  入力部
２４５０  第１シャッタグラス部
２４６０  第２シャッタグラス部
【図１】
2013140361.tif 000008
【図２】
2013140361.tif 000009
【図３】
2013140361.tif 000010
【図４】
2013140361.tif 000011
【図５】
2013140361.tif 000012
【図６】
2013140361.tif 000013
【図７】
2013140361.tif 000014
【図８】
2013140361.tif 000015
【図９】
2013140361.tif 000016
【図１０】
2013140361.tif 000017
【図１１】
2013140361.tif 000018
【図１２】
2013140361.tif 000019
【図１３】
2013140361.tif 000020
【図１４】
2013140361.tif 000021
【図１５】
2013140361.tif 000022
【図１６】
2013140361.tif 000023
【図１７】
2013140361.tif 000024
【図１８】
2013140361.tif 000025
【図１９】
2013140361.tif 000026
【図２０】
2013140361.tif 000027
【図２１】
2013140361.tif 000028
【図２２】
2013140361.tif 000029
【図２３Ａ】
2013140361.tif 000030
【図２３Ｂ】
2013140361.tif 000031
【図２４Ａ】
2013140361.tif 000032
【図２４Ｂ】
2013140361.tif 000033
【図２５Ａ】
2013140361.tif 000034
【図２５Ｂ】
2013140361.tif 000035
【図２６】
2013140361.tif 000036
【図２７】
2013140361.tif 000037
【図２８Ａ】
2013140361.tif 000038
【図２８Ｂ】
2013140361.tif 000039
【図２９】
2013140361.tif 000040